(57)【要約】同時多入力多出力（ＭＩＭＯ）ビームフォーミングトレーニングのためのシステム、方法、及び手段が開示される。第１の局（ＳＴＡ）は、第２のＳＴＡにトレーニング告知フレームを送信してもよい。トレーニング告知フレームは、トレーニング期間ならびに／または同時送信および受信トレーニングを示してもよい。第１のＳＴＡは、送信ビームの第１のセットおよびトレーニングフレームの第２のセットを介して、送信ビームの第２のセットを介して第２のＳＴＡにトレーニングフレームの第１のセットを送信してもよい。第２のＳＴＡは、第１のＳＴＡに、第１および第２の送信ビームと関連付けられたフィードバックを送信してもよい。第１のＳＴＡは、例えば、フィードバックがダウン選択要求を含みときにダウン選択トレーニングを実行してもよい。ダウン選択トレーニングは、ダウン選択トレーニング期間の間に実行されてもよい。送信ビームのダウン選択されたセットは、受信されたフィードバックに基づいて決定されてもよい。
2019509689.tif 000002
【特許請求の範囲】
【請求項１】
第１の局（ＳＴＡ）であって、
第２のＳＴＡに、トレーニング期間ならびに同時送信および受信トレーニングを示すトレーニング告知フレームを送信し、
前記第２のＳＴＡに、前記トレーニング期間の第１の時間スロットにおいて送信ビームの第１のセットを介してトレーニングフレームの第１のセットを送信し、
前記第２のＳＴＡに、前記トレーニング期間の第２の時間スロットにおいて送信ビームの第２のセットを介してトレーニングフレームの第２のセットを送信し、
前記第２のＳＴＡから、送信ビームの前記第１および第２のセットの１つまたは複数の送信ビームと関連付けられたフィードバックを受信し、前記フィードバックは、チャネル状態情報（ＣＳＩ）、１つもしくは複数のビーム識別（ＩＤ）、またはダウン選択要求のうちの１つまたは複数を含み、
前記受信されたフィードバックが前記ダウン選択要求を含むことを条件に、ダウン選択トレーニングを実行し、前記ダウン選択トレーニングは、送信ビームのダウン選択されたセットを介してダウン選択トレーニングフレームのセットを送信することを含み、送信ビームの前記ダウン選択されたセットは、送信ビームの前記第１のセットおよび第２のセットのサブセットであり、ならびに前記受信されたフィードバックに基づいて決定される
ように構成されたプロセッサを備えていることを特徴とする第１のＳＴＡ。
【請求項２】
前記プロセッサは、
前記受信されたフィードバックに応答して、前記第２のＳＴＡに１つまたは複数の確認応答（ＡＣＫ）フレームを送信し、
前記第２のＳＴＡにダウン選択インジケーションを送信し、前記ダウン選択インジケーションは、ダウン選択を実行する必要性を示す
ようにさらに構成されていることを特徴とする請求項１に記載の第１のＳＴＡ。
【請求項３】
前記ダウン選択インジケーションは、前記１つまたは複数のＡＣＫフレームのうちのＡＣＫフレームに含まれることを特徴とする請求項２に記載の第１のＳＴＡ。
【請求項４】
前記ダウン選択インジケーションは、多入力多出力（ＭＩＭＯ）ビームフォーミング要求インジケーションであることを特徴とする請求項２に記載の第１のＳＴＡ。
【請求項５】
前記プロセッサは、１つまたは複数の他のＳＴＡにトレーニングフレームの前記第１および第２のセットを送信するようにさらに構成されていることを特徴とする請求項１に記載の第１のＳＴＡ。
【請求項６】
送信ビームの前記ダウン選択されたセットは、前記トレーニング期間において使用されるビームの組み合わせ、または前記受信されたフィードバックにおいて示される前記１つもしくは複数のビームＩＤのうちの１つまたは複数に基づいて決定されることを特徴とする請求項１に記載の第１のＳＴＡ。
【請求項７】
トレーニングフレームの前記第１のセットおよびトレーニングフレームの前記第２のセットは各々、１つのそれぞれのトレーニングフレームを含むことを特徴とする請求項１に記載の第１のＳＴＡ。
【請求項８】
前記第１のＳＴＡは、アクセスポイント（ＡＰ）ＳＴＡであることを特徴とする請求項１に記載の第１のＳＴＡ。
【請求項９】
前記フィードバックは、前記トレーニング期間に続くフィードバックの間に受信されることを特徴とする請求項１に記載の第１のＳＴＡ。
【請求項１０】
前記１つまたは複数のビームＩＤは、前記第２のＳＴＡによって選択された１つまたは最良のビームと関連付けられることを特徴とする請求項１に記載の第１のＳＴＡ。
【請求項１１】
トレーニング送信機会（ＴＸＯＰ）にトレーニングフレームの前記第１および第２のセットが送信され、前記フィードバックが受信され、ならびに前記ダウン選択トレーニングが実行されることを特徴とする請求項１に記載の第１のＳＴＡ。
【請求項１２】
第１の局（ＳＴＡ）であって、
第２のＳＴＡから、トレーニング期間ならびに同時送信および受信トレーニングを示すトレーニング告知フレームを受信し、
送信ビームの第１のセットを介して前記第２のＳＴＡから、前記トレーニング期間における第１の時間スロットにおいて受信ビームの第１のセットを介してトレーニングフレームの第１のセットを受信し、
送信ビームの第２のセットを介して前記第２のＳＴＡから、前記トレーニング期間における第２の時間スロットにおいて受信ビームの第２のセットを介してトレーニングフレームの第２のセットを受信し、
送信ビームの前記第１および第２のセットの１つまたは複数の送信ビームと関連付けられた第１のフィードバックを決定し、前記第１のフィードバックは、１つもしくは複数の第１の最良のビームの１つもしくは複数のビーム識別（ＩＤ）または第１のチャネル状態情報（ＣＳＩ）を含み、
前記第１のフィードバックに基づいて、ダウン選択トレーニングを要求することを決定し、
前記第２のＳＴＡに、前記第１のフィードバックおよびダウン選択要求を含むフィードバックフレームを送信し、
ダウン選択トレーニングのために使用する受信ビームの第３のセットを決定し、
送信ビームのダウン選択されたセットを介して前記第２のＳＴＡから、受信ビームの前記第３のセットを介してダウン選択トレーニングフレームのセットを決定し、送信ビームの前記ダウン選択されたセットは、送信ビームの前記第１のセットおよび第２のセットのサブセットである
ように構成されたプロセッサを備えていることを特徴とする第１のＳＴＡ。
【請求項１３】
前記プロセッサは、
送信ビームの前記ダウン選択されたセットの１つまたは複数の送信ビームと関連付けられた第２のフィードバックを決定し、前記第２のフィードバックは、１つもしくは複数の第２の最良のビームの１つもしくは複数のビームＩＤまたは第２のＣＳＩを含み、
前記第２のＳＴＡに前記第２のフィードバックを送信する
ようにさらに構成されていることを特徴とする請求項１２に記載の第１のＳＴＡ。
【請求項１４】
ダウン選択トレーニングのために使用する受信ビームの前記第３のセットは、前記第１のフィードバックに基づいて決定されることを特徴とする請求項１２に記載の第１のＳＴＡ。
【請求項１５】
前記プロセッサは、前記第２のＳＴＡから１つまたは複数の確認応答（ＡＣＫ）フレームを受信するようにさらに構成されていることを特徴とする請求項１２に記載の第１のＳＴＡ。
【請求項１６】
前記第１のフィードバックは、前記トレーニング期間に続くフィードバック期間の間に送信されることを特徴とする請求項１２に記載の第１のＳＴＡ。
【請求項１７】
前記プロセッサは、ビーム方向に基づいて、送信ビームの前記第１または第２のセットからの前記１つまたは複数の第１の最良のビームを選択するようにさらに構成されていることを特徴とする請求項１２に記載の第１のＳＴＡ。
【請求項１８】
トレーニング送信機会（ＴＸＯＰ）にトレーニングフレームの前記第１および第２のセットが受信され、前記フィードバックフレームが送信され、ダウン選択トレーニングフレームの前記セットが受信されることを特徴とする請求項１２に記載の第１のＳＴＡ。
【請求項１９】
トレーニングフレームの前記第１のセットおよびトレーニングフレームの前記第２のセットは各々、１つのそれぞれのトレーニングフレームを含むことを特徴とする請求項１２に記載の第１のＳＴＡ。
【請求項２０】
前記プロセッサは、前記トレーニング告知フレームにおけるインジケーションに基づいて、いくつかの追加のトレーニングフレームが前記第２のＳＴＡから予期すると決定するようにさらに構成されていることを特徴とする請求項１２に記載の第１のＳＴＡ。
【発明の詳細な説明】
【技術分野】
【０００１】
本出願は、無線通信の分野に関し、特に、ｍｍＷ  ＷＬＡＮシステムにおける同時ＭＩＭＯビームフォーミングトレーニングに関する。
【背景技術】
【０００２】
関連出願の相互参照
本出願は、参照によってそれらの全体が本明細書に組み込まれる、２０１６年３月１０日に出願された米国仮特許出願第６２／３０６，４２２号、および２０１６年５月１２日に出願された米国仮特許出願第６２／３３５，１２７号に基づく優先権を主張する。
【０００３】
無線ローカルエリアネットワーク（ＷＬＡＮ）は、インフラストラクチャ基本サービスセット（ＢＳＳ）モード、および独立ＢＳＳ（ＩＢＳＳ）モードなど、複数の動作モードを有することがある。インフラストラクチャＢＳＳモードにおけるＷＬＡＮは、ＢＳＳについてのアクセスポイント（ＡＰ）を有することがある。１つまたは複数の無線送信／受信ユニット（ＷＴＲＵ）、例えば、局（ＳＴＡ）は、ＡＰと関連付けられることがある。ＡＰは、ＢＳＳにおよびＢＳＳからトラフィックを搬送する、分散システム（ＤＳ）または他のタイプの有線／無線ネットワークに対するアクセスまたはインタフェースを有することがある。ＢＳＳの外部から発信されたＳＴＡへのトラフィックは、ＡＰを通じて到達することがあり、ＡＰがトラフィックをＳＴＡに配信することがある。あるＷＬＡＮシステムにおいては、ＳＴＡツーＳＴＡ通信が実行されることがある。あるＷＬＡＮシステムにおいては、ＡＰは、ＳＴＡとして動作することがある。ビームフォーミングは、ＷＬＡＮデバイスによって使用されることがある。現在のビームフォーミング技術は制限されることがある。
【発明の概要】
【０００４】
同時多入力多出力（ＭＩＭＯ）ビームフォーミングトレーニングについてのシステム、方法、および手段（instrumentality）が開示される。第１の局（ＳＴＡ）は、第２のＳＴＡにトレーニング告知フレームを送信してもよい。第１のＳＴＡは、アクセスポイント（ＡＰ）ＳＴＡであってもよい。トレーニング告知フレームは、トレーニング期間、ならびに／または同時送信および受信トレーニングを示してもよい。第１のＳＴＡは、トレーニング期間の複数のタイムスロットにおいて、トレーニングフレームを送信してもよい。第１のＳＴＡは、第２のＳＴＡにトレーニングフレームの第１のセットを送信してもよい。トレーニングフレームの第１のセットは、１つ（例えば、１つのみ）のトレーニングフレームを含んでもよい。第１のＳＴＡは、送信ビームの第１のセットを介して、トレーニングフレームの第１のセットを送信してもよい。第１のＳＴＡは、トレーニング期間の第１のタイムスロットにおいて、トレーニングフレームの第１のセットを送信してもよい。第１のＳＴＡは、トレーニング期間の第２のタイムスロットにおいて、トレーニングフレームの第２のセットを送信してもよい。トレーニングフレームの第２のセットは、１つ（例えば、１つのみ）のトレーニングフレームを含んでもよい。第１のＳＴＡは、１つまたは複数の他のＳＴＡにトレーニングフレームの第１および第２のセットを送信してもよい。
【０００５】
第１のＳＴＡは、第２のＳＴＡからフィードバックを受信してもよい。フィードバックは、送信ビームの第１および第２のセットのうちの１つまたは複数の送信ビームと関連付けられてもよい。フィードバックは、チャネル状態情報（ＣＳＩ）、１つもしくは複数のビーム識別情報（ＩＤ）、またはダウン選択要求（down selection request）のうちの１つまたは複数を含んでもよい。１つまたは複数のビームＩＤは、第２のＳＴＡによって選択された１つまたは複数の最良ビームと関連付けられてもよい。フィードバックは、フィードバック期間の間に受信されてもよい。フィードバック期間は、トレーニング期間に続いてもよい。
【０００６】
第１のＳＴＡは、例えば、フィードバックがダウン選択要求を含むときに、ダウン選択トレーニングを実行してもよい。ダウン選択トレーニングは、ダウン選択トレーニング期間の間に実行されてもよい。ダウン選択トレーニングは、送信ビームのダウン選択された
down selected)セットを介して、ダウン選択トレーニングフレームのセットを送信することを含んでもよい。送信ビームのダウン選択されたセットは、送信ビームの第１のセットおよび第２のセットのサブセットであってもよい。送信ビームのダウン選択されたセットは、受信されたフィードバックに基づいて決定されてもよい。送信ビームのダウン選択されたセットは、トレーニング期間において使用されたビーム組み合わせ、または受信されたフィードバックにおいて示された１つもしくは複数のビームＩＤのうちの１つまたは複数に基づいて決定されてもよい。トレーニングフレームの第１および第２のセットが送信されてもよく、フィードバックが受信されてもよく、ダウン選択トレーニングは、トレーニング送信機会（ＴＸＯＰ）において実行されてもよい。
【０００７】
第１のＳＴＡは、例えば、受信されたフィードバックに応答して、第２のＳＴＡに１つまたは複数の確認応答（ＡＣＫ）フレームを送信してもよい。第１のＳＴＡは、第２のＳＴＡにダウン選択インジケーションを送信してもよい。ダウン選択インジケーションは、ダウン選択を実行する必要があることを示してもよい。ダウン選択インジケーションは、１つまたは複数のＡＣＫフレームのうちのＡＣＫフレームに含まれてもよい。ダウン選択インジケーションは、ＭＩＭＯビームフォーミング要求インジケーションであってもよい。
【図面の簡単な説明】
【０００８】
【図１Ａ】例示的な無線ローカルエリアネットワーク（ＷＬＡＮ）デバイスを示す図である。
【図１Ｂ】１つまたは複数の開示される特徴が実施されてもよい、例示的な通信システムの図である。
【図１Ｃ】例示的な無線送信／受信ユニット（ＷＴＲＵ）を示す図である。
【図２】例示的なセクタレベルスイープ（ＳＬＳ）トレーニングを示す図である。
【図３】例示的なセクタスイープ（ＳＳＷ）フレームを示す図である。
【図４】例示的なＳＳＷフィールドを示す図である。
【図５】例示的なイニシエータセクタスイープ（ＩＳＳ）ＳＳＷフィードバックフィールドを示す図である。
【図６】ＩＳＳを使用しない例示的なＳＳＷフィードバックフィールドを示す図である。
【図７】例示的な物理レイヤ収束プロトコル（ＰＬＣＰ）プロトコルデータユニット（ＰＰＤＵ）を示す図である。
【図８】例示的な局（ＳＴＡ）ビームパターンを示す図である。
【図９】例示的な多入力多出力（ＭＩＭＯ）ビームフォーミングトレーニングを示す図である。
【図１０】マルチ送信機／受信機トレーニングのための例示的なアンテナパターンを示す図である。
【図１１】例示的なピアツーピア（Ｐ２Ｐ）直接（cascaded）トレーニング送信機会（ＴＸＯＰ）を示す図である。
【発明を実施するための形態】
【０００９】
説明的な実施形態の詳細な説明が、様々な図を参照して、今から行われる。この説明は、可能な実施についての詳細な例を提供するが、詳細は、例示的であることが意図されており、決して本出願の範囲を限定するものではないことに留意されたい。
【００１０】
図１Ａは、例示的な無線ローカルエリアネットワーク（ＷＬＡＮ）デバイスを示している。デバイスのうちの１つまたは複数は、本明細書において説明される特徴のうちの１つまたは複数を実施するために使用されてもよい。ＷＬＡＮは、限定されることなく、アクセスポイント（ＡＰ）１０２と、局（ＳＴＡ）１１０と、ＳＴＡ１１２とを含んでもよい。ＳＴＡ１１０、１１２は、ＡＰ１０２と関連付けられてもよい。ＷＬＡＮは、ＤＳＳＳ、ＯＦＤＭ、ＯＦＤＭＡなどのチャネルアクセス方式を含んでもよい、ＩＥＥＥ８０２．１１通信規格の１つまたは複数のプロトコルを実施するように構成されてもよい。ＷＬＡＮは、例えば、インフラストラクチャモード、アドホックモードなどのモードで動作してもよい。
【００１１】
インフラストラクチャモードで動作するＷＬＡＮは、１つまたは複数の関連付けられたＳＴＡと通信する１つまたは複数のＡＰを含んでもよい。ＡＰおよびＡＰと関連付けられたＳＴＡは、基本サービスセット（ＢＳＳ）を構成してもよい。例えば、ＡＰ１０２、ＳＴＡ１１０、およびＳＴＡ１１２は、ＢＳＳ１２２を構成してもよい。拡張サービスセット（ＥＳＳ）は、（１つまたは複数のＢＳＳを伴う）１つまたは複数のＡＰと、ＡＰと関連付けられたＳＴＡとを含んでもよい。ＡＰは、分散システム（ＤＳ）１１６に対するアクセスおよび／またはインタフェースを有してもよく、ＤＳ１１６は、有線および／または無線であってもよく、ならびにＡＰにおよび／またはＡＰからトラフィックを搬送してもよい。ＷＬＡＮの外部から発信された、ＷＬＡＮ内のＳＴＡへのトラフィックは、ＷＬＡＮ内のＡＰにおいて受信されてもよく、ＡＰは、ＷＬＡＮ内のＳＴＡにトラフィックを送信してもよい。ＷＬＡＮ内のＳＴＡから発信されたＷＬＡＮの外部の送信先、例えば、サーバ１１８へのトラフィックは、ＷＬＡＮ内のＡＰに送信されてもよく、ＡＰは、例えば、ネットワーク１１４に通じるＤＳ１１６を介して、サーバ１１８に送信されるトラフィックを送信先に送信してもよい。ＷＬＡＮ内のＳＴＡ間のトラフィックは、１つまたは複数のＡＰを通じて送信されてもよい。例えば、送信元ＳＴＡ（例えば、ＳＴＡ１１０）は、送信先ＳＴＡ（例えば、ＳＴＡ１１２）を宛先とするトラフィックを有してもよい。ＳＴＡ１１０は、ＡＰ１０２にトラフィックを送信してもよく、ＡＰ１０２は、ＳＴＡ１１２にトラフィックを送信してもよい。
【００１２】
ＷＬＡＮは、アドホックモードで動作してもよい。アドホックモードＷＬＡＮは、独立基本サービスセット（ＩＢＳＳ）と称されてもよい。アドホックモードＷＬＡＮにおいては、ＳＴＡは、互いに直接的に通信してもよい（例えば、ＳＴＡ１１０は、ＡＰを通じてルーティングされるような通信なしに、ＳＴＡ１１２と通信してもよい）。
【００１３】
ＩＥＥＥ８０２．１１デバイス（例えば、ＢＳＳ内のＩＥＥＥ８０２．１１  ＡＰ）は、ビーコンフレームを使用して、ＷＬＡＮネットワークの存在を告知してもよい。ＡＰ１０２などのＡＰは、チャネルを通じて、例えば、プライマリチャネルなどの固定されたチャネルを通じてビーコンを送信してもよい。ＳＴＡは、プライマリチャネルなどのチャネルを使用して、ＡＰとの接続を確立してもよい。
【００１４】
ＳＴＡおよび／またはＡＰは、キャリア検知多重アクセス／衝突回避（ＣＳＭＡ／ＣＡ）チャネルアクセスメカニズムを使用してもよい。ＣＳＭＡ／ＣＡにおいては、ＳＴＡおよび／またはＡＰは、プライマリチャネルを検知してもよい。例えば、ＳＴＡが送信するデータを有する場合、ＳＴＡは、プライマリチャネルを検知してもよい。プライマリチャネルがビジーであることが検出された場合、ＳＴＡはバックオフしてもよい。例えば、ＷＬＡＮまたはそれの部分は、例えば、所与のＢＳＳにおいては、所与の時間に、１つのＳＴＡが送信することができるように構成されてもよい。チャネルアクセスは、ＲＴＳおよび／またはＣＴＳシグナリングを含んでもよい。例えば、送信デバイスによって送信することができる送信要求（ＲＴＳ）フレームと、受信デバイスによって送信することができる送信可（ＣＴＳ）フレームとの交換が行われる。例えば、ＡＰが、ＳＴＡに送信するデータを有する場合、ＡＰは、ＳＴＡにＲＴＳフレームを送信してもよい。ＳＴＡが、データを受信する準備がある場合、ＳＴＡは、ＣＴＳフレームを使用して応答してもよい。ＣＴＳフレームは、ＲＴＳを開始したＡＰがそれのデータを送信することができる間、媒体にアクセスをしないように他のＳＴＡに警告することができる時間値を含んでもよい。ＳＴＡからＣＴＳフレームを受信すると、ＡＰは、ＳＴＡにデータを送信してもよい。
【００１５】
デバイスは、ネットワーク割り当てベクトル（ＮＡＶ）フィールドを介して、スペクトルを予約（reserve）してもよい。例えば、ＩＥＥＥ８０２．１１フレームにおいては、ＮＡＶフィールドは、チャネルを時間期間にわたって予約するために使用されてもよい。データを送信することを要求するＳＴＡは、それがチャネルの使用を予期することができる時間になるようにＮＡＶを設定してもよい。ＳＴＡが、ＮＡＶを設定するとき、ＮＡＶは、関連付けられたＷＬＡＮまたはそれのサブセット（例えば、ＢＳＳ）について設定されてもよい。他のＳＴＡは、ＮＡＶをゼロまでカウントダウンしてもよい。カウンタが、ゼロの値に到達したとき、ＮＡＶ機能性は、チャネルが今は利用可能であることを他のＳＴＡに示してもよい。
【００１６】
ＡＰまたはＳＴＡなどの、ＷＬＡＮ内のデバイスは、以下のうちの１つまたは複数を、すなわち、プロセッサ、メモリ、（例えば、組み合わせて送受信機としてもよい）無線受信機および／または送信機、１つまたは複数のアンテナ（例えば、図１Ａにおけるアンテナ１０６）などのうちの１つまたは複数を含んでもよい。プロセッサ機能は、１つまたは複数のプロセッサを含んでもよい。例えば、プロセッサは、汎用プロセッサ、専用プロセッサ（例えば、ベース帯域プロセッサ、ＭＡＣプロセッサなど）、デジタルシグナルプロセッサ（ＤＳＰ）、特定用途向け集積回路（ＡＳＩＣ）、フィールドプログラマブルゲートアレイ（ＦＰＧＡ）回路、他の任意のタイプの集積回路（ＩＣ）、および状態機械などのうちの１つまたは複数を含んでもよい。１つまたは複数のプロセッサは、互いに統合されてもよく、または統合されなくてもよい。プロセッサ（例えば、１つもしくは複数のプロセッサ、またはそれのサブセット）は、１つまたは複数の他の機能（例えば、メモリなどの他の機能）と統合されてもよい。プロセッサは、信号符号化、データ処理、電力制御、入力／出力処理、変調、復調、および／またはデバイスが、図１ＡのＷＬＡＮなど、無線環境において動作することを可能にしてもよい他の任意の機能性を実行してもよい。プロセッサは、例えば、ソフトウェアおよび／またはファームウェア命令を含む、プロセッサ実行可能コード（例えば、命令）を実行するように構成されてもよい。例えば、プロセッサは、プロセッサ（例えば、メモリを含むチップセットおよびプロセッサ）またはメモリのうちの１つまたは複数に含まれる、コンピュータ可読命令を実行するように構成されてもよい。命令の実行は、本明細書において説明される機能のうちの１つまたは複数をデバイスに実行させてもよい。
【００１７】
デバイスは、１つまたは複数のアンテナを含んでもよい。デバイスは、多入力多出力（ＭＩＭＯ）技術を利用してもよい。１つまたは複数のアンテナは、無線信号を受信してもよい。プロセッサは、例えば、１つまたは複数のアンテナを介して、無線信号を受信してもよい。１つまたは複数のアンテナは、（例えば、プロセッサから送信された信号に基づいて）無線信号を送信してもよい。
【００１８】
デバイスは、プロセッサ実行可能コードもしくは命令（例えば、ソフトウェア、ファームウェアなど）、電子データ、データベース、または他のデジタル情報など、プログラミングおよび／またはデータを記憶するための１つまたは複数のデバイスを含んでもよい、メモリを有してもよい。メモリは、１つまたは複数のメモリユニットを含んでもよい。１つまたは複数のメモリユニットは、１つまたは複数の他の機能（例えば、プロセッサなどのデバイス内に含まれる他の機能）と統合されてもよい。メモリは、リードオンリメモリ（ＲＯＭ）（例えば、消去可能プログラマブルリードオンリメモリ（ＥＰＲＯＭ）、電気的消去可能プログラマブルリードオンリメモリ（ＥＥＰＲＯＭ）など）、ランダムアクセスメモリ（ＲＡＭ）、磁気記憶ディスク媒体、光記憶媒体、フラッシュメモリデバイス、および／または情報を記憶するための他の非一時的コンピュータ可読媒体を含んでもよい。メモリは、プロセッサに結合されてもよい。プロセッサは、メモリの１つまたは複数のエンティティと、例えば、システムバスを介した通信、直接的な通信などを行ってもよい。
【００１９】
図１Ｂは、１つまたは複数の開示される特徴が実施することができる例示的な通信システム１００の図である。例えば、無線ネットワーク（例えば、通信システム１００の１つまたは複数の構成要素を備える無線ネットワーク）は、無線ネットワークを越えて（例えば、無線ネットワークと関連付けられたウォールドガーデンを越えて）広がるベアラが、サービス品質（ＱｏＳ）特性を付与されてもよいように構成されてもよい。
【００２０】
通信システム１００は、複数の無線ユーザに音声、データ、ビデオ、メッセージング、放送などのコンテンツを提供する多元接続システムであってもよい。通信システム１００は、複数の無線ユーザが、無線帯域幅を含むシステムリソースの共用を通じて、そのようなコンテンツにアクセスすることを可能にしてもよい。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１つまたは複数のチャネルアクセス方法を利用してもよい。
【００２１】
図１Ｂに示されるように、通信システム１００は、複数の無線送信／受信ユニット（ＷＴＲＵ）、例えば、ＷＴＲＵ１０２ａ、１０２ｂ、１０２ｃ、１０２ｄなど、少なくとも１つのＷＴＲＵ、無線アクセスネットワーク（ＲＡＮ）１０４、コアネットワーク１０６、公衆交換電話網（ＰＳＴＮ）１０８、インターネット１１０、および他のネットワーク１１２を含んでもよいが、開示される実施形態は、任意の数のＷＴＲＵ、基地局、ネットワーク、および／またはネットワーク要素を企図していることが理解されるべきである。ＷＴＲＵ１０２ａ、１０２ｂ、１０２ｃ、１０２ｄの各々は、無線環境において動作および／または通信するように構成された、任意のタイプのデバイスであってもよい。例として、ＷＴＲＵ１０２ａ、１０２ｂ、１０２ｃ、１０２ｄは、無線信号を送信および／または受信するように構成されてもよく、ユーザ機器（ＵＥ）、移動局（例えば、ＷＬＡＮ  ＳＴＡ）、固定もしくは移動加入者ユニット、ページャ、セルラ電話、パーソナルデジタルアシスタント（ＰＤＡ）、スマートフォン、ラップトップ、ネットブック、パーソナルコンピュータ、無線センサ、および家電製品などを含んでもよい。
【００２２】
通信システム１００は、基地局１１４ａおよび基地局１１４ｂも含んでもよい。基地局１１４ａ、１１４ｂの各々は、コアネットワーク１０６、インターネット１１０、および／またはネットワーク１１２などの１つまたは複数の通信ネットワークへのアクセスを容易にするために、ＷＴＲＵ１０２ａ、１０２ｂ、１０２ｃ、１０２ｄのうちの少なくとも１つと無線でインタフェース接続するように構成された、任意のタイプのデバイスであってもよい。例として、基地局１１４ａ、１１４ｂは、基地送受信機局（ＢＴＳ）、ＮｏｄｅＢ、ｅＮｏｄｅＢ、ホームＮｏｄｅＢ、ホームｅＮｏｄｅＢ、サイトコントローラ、アクセスポイント（ＡＰ）、および無線ルータなどであってもよい。基地局１１４ａ、１１４ｂは、各々が、単一の要素として示されているが、基地局１１４ａ、１１４ｂは、任意の数の相互接続された基地局および／またはネットワーク要素を含んでもよいことが理解されるべきである。
【００２３】
基地局１１４ａは、ＲＡＮ１０４の一部であってもよく、ＲＡＮ１０４は、他の基地局、および／または基地局コントローラ（ＢＳＣ）、無線ネットワークコントローラ（ＲＮＣ）、中継ノードなどのネットワーク要素（図示されず）も含んでもよい。基地局１１４ａおよび／または基地局１１４ｂは、セル（図示されず）と称されることがある、特定の地理的領域において、無線信号を送信および／または受信するように構成されてもよい。セルは、さらにセルセクタに分割されてもよい。例えば、基地局１１４ａに関連付けられたセルは、３つのセクタに分割されてもよい。したがって、一実施形態においては、基地局１１４ａは、送受信機を３つ、すなわち、セルのセクタ毎に１つずつ含んでもよい。別の実施形態においては、基地局１１４ａは、多入力多出力（ＭＩＭＯ）技術を利用してもよく、したがって、セルのセクタ毎に複数の送受信機を利用してもよい。
【００２４】
基地局１１４ａ、１１４ｂは、エアインタフェース１１６を通じてＷＴＲＵ１０２ａ、１０２ｂ、１０２ｃ、１０２ｄのうちの１つまたは複数と通信してもよく、エアインタフェース１１６は、任意の適切な無線通信リンク（例えば、無線周波（ＲＦ）、マイクロ波、赤外線（ＩＲ）、紫外線（ＵＶ）、可視光など）であってもよい。エアインタフェース１１６は、任意の適切な無線アクセス技術（ＲＡＴ）を使用して確立されてもよい。
【００２５】
より具体的には、上で言及されたように、通信システム１００は、多元接続システムであってもよく、ＣＤＭＡ、ＴＤＭＡ、ＦＤＭＡ、ＯＦＤＭＡ、およびＳＣ−ＦＤＭＡなどの、１つまたは複数のチャネルアクセス方式を利用してもよい。例えば、ＲＡＮ１０４内の基地局１１４ａ、およびＷＴＲＵ１０２ａ、１０２ｂ、１０２ｃは、広帯域ＣＤＭＡ（ＷＣＤＭＡ（登録商標））を使用してエアインタフェース１１６を確立してもよい、ユニバーサル移動体通信システム（ＵＭＴＳ）地上無線アクセス（ＵＴＲＡ）などの無線技術を実施してもよい。ＷＣＤＭＡは、高速パケットアクセス（ＨＳＰＡ）および／または進化型ＨＳＰＡ（ＨＳＰＡ＋）などの通信プロトコルを含んでもよい。ＨＳＰＡは、高速ダウンリンクパケットアクセス（ＨＳＤＰＡ）および／または高速アップリンクパケットアクセス（ＨＳＵＰＡ）を含んでもよい。
【００２６】
別の実施形態においては、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインタフェース１１６を確立してもよい、進化型ＵＭＴＳ地上無線アクセス（Ｅ−ＵＴＲＡ）などの無線技術を実施してもよい。
【００２７】
他の実施形態においては、基地局１１４ａ、およびＷＴＲＵ１０２ａ、１０２ｂ、１０２ｃは、ＩＥＥＥ８０２．１６（すなわち、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＣＤＭＡ２０００、ＣＤＭＡ２０００  １Ｘ、ＣＤＭＡ２０００  ＥＶ−ＤＯ、Ｉｎｔｅｒｉｍ  Ｓｔａｎｄａｒｄ  ２０００（ＩＳ−２０００）、Ｉｎｔｅｒｉｍ  Ｓｔａｎｄａｒｄ  ９５（ＩＳ−９５）、Ｉｎｔｅｒｉｍ  Ｓｔａｎｄａｒｄ  ８５６（ＩＳ−８５６）、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、およびＧＳＭ  ＥＤＧＥ（ＧＥＲＡＮ）などの無線技術を実施してもよい。
【００２８】
図１Ｂの基地局１１４ｂは、例えば、無線ルータ、ホームＮｏｄｅＢ、ホームｅＮｏｄｅＢ、またはアクセスポイントであってもよく、職場、家庭、乗物、およびキャンパスなどの局所的エリアにおける無線接続性を容易にするために、任意の適切なＲＡＴを利用してもよい。一実施形態においては、基地局１１４ｂ、およびＷＴＲＵ１０２ｃ、１０２ｄは、ＩＥＥＥ８０２．１１などの無線技術を実施して、無線ローカルエリアネットワーク（ＷＬＡＮ）を確立してもよい。別の実施形態においては、基地局１１４ｂ、およびＷＴＲＵ１０２ｃ、１０２ｄは、ＩＥＥＥ８０２．１５などの無線技術を実施して、無線パーソナルエリアネットワーク（ＷＰＡＮ）を確立してもよい。また別の実施形態においては、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立してもよい。図１Ｂに示されるように、基地局１１４ｂは、インターネット１１０への直接的な接続を有してもよい。したがって、基地局１１４ｂは、コアネットワーク１０６を介してインターネット１１０にアクセスするために必要とされないことがある。
【００２９】
ＲＡＮ１０４は、コアネットワーク１０６と通信してもよく、コアネットワーク１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄのうちの１つまたは複数に提供するように構成された、任意のタイプのネットワークであってもよい。例えば、コアネットワーク１０６は、呼制御、請求サービス、モバイルロケーションベースのサービス、プリペイド通話、インターネット接続性、ビデオ配信などを提供してもよく、および／またはユーザ認証など、高レベルのセキュリティ機能を実行してもよい。図１Ｂには示されていないが、ＲＡＮ１０４および／またはコアネットワーク１０６は、ＲＡＮ１０４と同じＲＡＴまたは異なるＲＡＴを利用する他のＲＡＮと直接的または間接的に通信してもよいことが理解されるべきである。例えば、Ｅ−ＵＴＲＡ無線技術を利用することができるＲＡＮ１０４に接続するのに加えて、コアネットワーク１０６は、ＧＳＭ無線技術を利用する別のＲＡＮ（図示されず）とも通信してもよい。
【００３０】
コアネットワーク１０６は、ＰＳＴＮ１０８、インターネット１１０、および／または他のネットワーク１１２にアクセスするための、ＷＴＲＵ１０２ａ、１０２ｂ、１０２ｃ、１０２ｄのためのゲートウェイとしての役割も果たしてもよい。ＰＳＴＮ１０８は、基本電話サービス（ＰＯＴＳ）を提供する回線交換電話網を含んでもよい。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークとデバイスとのグローバルシステムを含んでもよい。ネットワーク１１２は、他のサービスプロバイダによって所有および／または運営される有線または無線通信ネットワークを含んでもよい。例えば、ネットワーク１１２は、ＲＡＮ１０４と同じＲＡＴまたは異なるＲＡＴを利用することができる１つまたは複数のＲＡＮに接続された、別のコアネットワークを含んでもよい。
【００３１】
通信システム１００内のＷＴＲＵ１０２ａ、１０２ｂ、１０２ｃ、１０２ｄのうちのいくつかまたはすべては、マルチモード能力を含んでよく、すなわち、ＷＴＲＵ１０２ａ、１０２ｂ、１０２ｃ、１０２ｄは、異なる無線リンク上で異なる無線ネットワークと通信するための複数の送受信機を含んでもよい。例えば、図１Ｂに示されるＷＴＲＵ１０２ｃは、セルラベースの無線技術を利用することができる基地局１１４ａと通信するように、またＩＥＥＥ８０２無線技術を利用することができる基地局１１４ｂと通信するように構成されてもよい。
【００３２】
図１Ｃは、例示的な無線送信／受信ユニット、ＷＴＲＵ１０２を示している。ＷＴＲＵは、ユーザ機器（ＵＥ）、移動局、ＷＬＡＮ  ＳＴＡ、固定もしくは移動加入者ユニット、ページャ、セルラ電話、パーソナルデジタルアシスタント（ＰＤＡ）、スマートフォン、ラップトップ、ネットブック、パーソナルコンピュータ、無線センサ、および家電製品などであってもよい。ＷＴＲＵ１０２は、本明細書において説明される通信システムのうちの１つまたは複数において使用されてもよい。図１Ｃに示されるように、ＷＴＲＵ１０２は、プロセッサ１１８と、送受信機１２０と、送信／受信要素１２２と、スピーカ／マイクロフォン１２４と、キーパッド１２６と、ディスプレイ／タッチパッド１２８と、非取外可能メモリ１３０と、取外可能メモリ１３２と、電源１３４と、全地球測位システム（ＧＰＳ）チップセット１３６と、他の周辺機器１３８とを含んでもよい。ＷＴＲＵ１０２は、実施形態との整合性を保ちながら、上記の要素の任意のサブコンビネーションを含んでもよいことが理解されるべきである。
【００３３】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などであってもよい。プロセッサ１１８は、信号符号化、データ処理、電力制御、入力／出力処理、および／またはＷＴＲＵ１０２が無線環境において動作することを可能にする他の任意の機能性を実行することができる。プロセッサ１１８は、送受信機１２０に結合されてもよく、送受信機１２０は、送信／受信要素１２２に結合されてもよい。図１Ｃは、プロセッサ１１８と送受信機１２０とを別個の構成要素として示しているが、プロセッサ１１８と送受信機１２０とは、電子パッケージまたはチップ内に一緒に統合されてもよいことが理解されるべきである。
【００３４】
送信／受信要素１２２は、エアインタフェース１１６を通じて基地局（例えば、基地局１１４ａ）に信号を送信し、または基地局から信号を受信するように構成されてもよい。例えば、一実施形態においては、送信／受信要素１２２は、ＲＦ信号を送信および／または受信するように構成されたアンテナであってもよい。別の実施形態においては、送信／受信要素１２２は、例えば、ＩＲ、ＵＶ、または可視光信号を送信および／または受信するように構成された放射器／検出器であってもよい。また別の実施形態においては、送信／受信要素１２２は、ＲＦ信号および光信号の両方を送信および受信するように構成されてもよい。送信／受信要素１２２は、無線信号の任意の組み合わせを送信および／または受信するように構成されてもよいことが理解されるべきである。
【００３５】
加えて、図１Ｃにおいては、送信／受信要素１２２は単一の要素として示されているが、ＷＴＲＵ１０２は、任意の数の送信／受信要素１２２を含んでもよい。より具体的には、ＷＴＲＵ１０２は、ＭＩＭＯ技術を利用してもよい。したがって、一実施形態においては、ＷＴＲＵ１０２は、エアインタフェース１１６を通じて無線信号を送信および受信するための２つ以上の送信／受信要素１２２（例えば、複数のアンテナ）を含んでもよい。
【００３６】
送受信機１２０は、送信／受信要素１２２によって送信されることになる信号を変調し、送信／受信要素１２２によって受信された信号を復調するように構成されてもよい。上で言及されたように、ＷＴＲＵ１０２は、マルチモード能力を有してもよい。したがって、送受信機１２０は、ＷＴＲＵ１０２が、例えば、ＵＴＲＡおよびＩＥＥＥ８０２．１１など、複数のＲＡＴを介して通信することを可能にするための複数の送受信機を含んでもよい。
【００３７】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合されてもよく、それらからユーザ入力データを受信してもよい。プロセッサ１１８は、スピーカ／マイクロフォン１２４、キーパッド１２６、および／またはディスプレイ／タッチパッド１２８にユーザデータを出力してもよい。加えて、プロセッサ１１８は、非取外可能メモリ１３０および／または取外可能メモリ１３２など、任意のタイプの適切なメモリから情報にアクセスしてもよく、それらにデータを記憶してもよい。非取外可能メモリ１３０は、ランダムアクセスメモリ（ＲＡＭ）、リードオンリメモリ（ＲＯＭ）、ハードディスク、または他の任意のタイプのメモリ記憶デバイスを含んでもよい。取外可能メモリ１３２は、加入者識別モジュール（ＳＩＭ）カード、メモリスティック、およびセキュアデジタル（ＳＤ）メモリカードなどを含んでもよい。他の実施形態においては、プロセッサ１１８は、サーバまたはホームコンピュータ（図示されず）上などの、ＷＴＲＵ１０２上に物理的に配置されていないメモリから情報にアクセスしてもよく、それらにデータを記憶してもよい。
【００３８】
プロセッサ１１８は、電源１３４から電力を受信してもよく、ＷＴＲＵ１０２内の他の構成要素への電力の分配および／または制御を行うように構成されてもよい。電源１３４は、ＷＴＲＵ１０２に給電するための任意の適切なデバイスであってもよい。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウム−イオン（Ｌｉ−ｉｏｎ）など）、太陽電池、および燃料電池などを含んでもよい。
【００３９】
プロセッサ１１８は、ＧＰＳチップセット１３６に結合されてもよく、ＧＰＳチップセット１３６は、ＷＴＲＵ１０２の現在位置に関する位置情報（例えば、経度および緯度）を提供するように構成されてもよい。ＧＰＳチップセット１３６からの情報に加えて、またはその代わりに、ＷＴＲＵ１０２は、基地局（例えば、基地局１１４ａ、１１４ｂ）からエアインタフェース１１６を通じて位置情報を受信してもよく、および／または２つ以上の近くの基地局から受信している信号のタイミングに基づいて、その位置を決定してもよい。ＷＴＲＵ１０２は、実施形態との整合性を保ちながら、任意の適切な位置決定方法を使用して、位置情報を取得してもよいことが理解されるべきである。
【００４０】
プロセッサ１１８は、他の周辺機器１３８にさらに結合されてもよく、他の周辺機器１３８は、追加的な特徴、機能性、および／または有線もしくは無線接続性を提供する、１つまたは複数のソフトウェアモジュールおよび／またはハードウェアモジュールを含んでもよい。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含んでもよい。
【００４１】
ＷＬＡＮは、ＢＳＳのためのアクセスポイント（ＡＰ／ＰＣＰ）と、ＡＰ／ＰＣＰと関連付けられた１つまたは複数の局（ＳＴＡ）とを有することができるインフラストラクチャ基本サービスセット（ＢＳＳ）モードを有してもよい。ＡＰ／ＰＣＰは、ＢＳＳにおよびＢＳＳからトラフィックを搬送してもよい、分散システム（ＤＳ）または他のタイプの有線／無線ネットワークに対するアクセスまたはインタフェースを有してもよい。ＢＳＳの外部から発信することができるＳＴＡへのトラフィックは、ＡＰ／ＰＣＰを通じて到着してもよく、ＳＴＡに配信されてもよい。ＳＴＡから発信することができるＢＳＳの外部の送信先へのトラフィックは、ＡＰ／ＰＣＰに送信されてもよく、それぞれの送信先に配信されてもよい。ＢＳＳ内のＳＴＡ間のトラフィックは、ＡＰ／ＰＣＰを通じて送信されてもよい。送信元ＳＴＡは、ＡＰ／ＰＣＰにトラフィックを送信してもよく、ＡＰ／ＰＣＰは、トラフィックを送信先ＳＴＡに配信してもよい。ＢＳＳ内のＳＴＡ間のトラフィックは、ピアツーピアトラフィックであってもよい。ピアツーピアトラフィックは、８０２．１１ｅ  ＤＬＳまたは８０２．１１ｚトンネルドＤＬＳ（ＴＤＬＳ）を使用する直接リンクセットアップ（ＤＬＳ）を使用して、送信元ＳＴＡと送信先ＳＴＡとの間で送信されてもよく、また直接的に送信されてもよい。ＷＬＡＮは、独立ＢＳＳ（ＩＢＳＳ）モードを使用してもよく、ＡＰ／ＰＣＰおよび／またはＳＴＡを有さなくてもよく、別のＷＬＡＮと直接的に通信してもよい。このモードの通信は、「アドホック」モード通信と称されてもよい。
【００４２】
ＡＰ／ＰＣＰは、８０２．１１ａｃインフラストラクチャ動作モードを使用してもよい。ＡＰ／ＰＣＰは、ビーコンを送信してもよく、固定されたチャネルを通じてそれを行ってもよい。固定されたチャネルは、プライマリチャネルであってもよい。チャネルは、２０ＭＨｚ幅であってもよく、ＢＳＳの動作チャネルであってもよい。チャネルは、ＳＴＡによって使用されてもよく、ＡＰ／ＰＣＰとの接続を確立するために使用されてもよい。８０２．１１システムにおける基本チャネルアクセスメカニズムは、キャリア検知多重アクセス／衝突回避（ＣＳＭＡ／ＣＡ）であってもよい。ＣＳＭＡ／ＣＡにおいては、ＡＰ／ＰＣＰを含むＳＴＡ（例えば、すべてのＳＴＡ）は、プライマリチャネルを検知してもよい。チャネルは、ビジーであると検出されてもよい。ＳＴＡは、バックオフしてもよく、チャネルがビジーであることが検出された場合に、バックオフしてもよい。所与のＢＳＳにおいては、所与の時間に、１つのＳＴＡが、（例えば、ＣＳＭＡ／ＣＡを使用して）送信してもよい。
【００４３】
８０２．１１ｎにおいては、高スループット（ＨＴ）ＳＴＡは、通信のために、４０ＭＨｚ幅チャネルも使用してもよい。これは、プライマリ２０ＭＨｚチャネルを組み合わせることによって達成されてもよく、隣接する２０ＭＨｚチャネルが４０ＭＨｚ幅の連続チャネルを形成する。
【００４４】
８０２．１１ａｃにおいては、超高スループット（ＶＨＴ）ＳＴＡは、２０ＭＨｚ、４０ＭＨｚ、８０ＭＨｚ、および１６０ＭＨｚ幅チャネルをサポートしてもよい。４０ＭＨｚおよび８０ＭＨｚチャネルは、上で説明された８０２．１１ｎと同様に、連続する２０ＭＨｚチャネルを組み合わせることによって形成されてもよい。１６０ＭＨｚチャネルは、８つの連続する２０ＭＨｚチャネルを組み合わせることによって、または２つの非連続な８０ＭＨｚチャネルを組み合わせることによって形成されてもよい。これは、８０＋８０構成と称されてもよい。８０＋８０構成については、データは、チャネルエンコードされてもよく、（例えば、チャネルエンコーディングの後）セグメントパーサ（segment parserを）通ってもよい。セグメントパーサは、データを、ストリーム（例えば、２つのストリーム）に分割してもよい。ＩＦＦＴおよび／または時間領域処理が、ストリームに対して（例えば、各ストリームに対して別々に）行われてもよい。ストリームは、チャネルにマッピングされてもよい（例えば、各ストリームをチャネルに、例えば、２つのストリームを２つのチャネルにマッピングしてもよい）。データは送信されてもよい。受信機においては、メカニズムは逆であってもよく、組み合わされたデータは、ＭＡＣに送信されてもよい。
【００４５】
サブ１ＧＨｚ動作モードは、８０２．１１ａｆおよび８０２．１１ａｈによってサポートされる。これらの仕様については、チャネル動作帯域幅およびキャリアは、８０２．１１ｎおよび８０２．１１ａｃにおいて使用されるそれらに比べて低減される。８０２．１１ａｆは、ＴＶホワイトスペース（ＴＶＷＳ）スペクトルにおいて、５ＭＨｚ、１０ＭＨｚ、および２０ＭＨｚ帯域幅をサポートし、８０２．１１ａｈは、非ＴＶＷＳスペクトルを使用して、１ＭＨｚ、２ＭＨｚ、４ＭＨｚ、８ＭＨｚ、および１６ＭＨｚ帯域幅をサポートする。８０２．１１ａｈについての可能な使用事例は、マクロカバレージエリアにおけるメータタイプコントロール（ＭＴＣ：Meter Type Control）デバイスに対するサポートである。ＭＴＣデバイスは、限られた帯域幅に対するサポートを含む、限られた能力を有してもよい。ＭＴＣデバイスは、長いバッテリ寿命についての要件を含んでもよい。
【００４６】
８０２．１１ｎ、８０２．１１ａｃ、８０２．１１ａｆ、および８０２．１１ａｈなど、複数のチャネルおよびチャネル幅をサポートするＷＬＡＮシステムは、プライマリチャネルとして指定されたチャネルを含む。プライマリチャネルは、ＢＳＳ内のＳＴＡ（例えば、すべてのＳＴＡ）によってサポートされる、最大共通動作帯域幅に等しい、またはほぼ等しい帯域幅を有してもよい。プライマリチャネルの帯域幅は、ＳＴＡ（例えば、ＢＳＳにおいて動作するすべてのＳＴＡ）によって制限されることがあり、最小帯域幅動作モードをサポートするＳＴＡによって制限されることがある。８０２．１１ａｈの例においては、１ＭＨｚモードをサポートする（例えば、それしかサポートしない）ＳＴＡ（例えば、ＭＴＣタイプデバイス）が存在する場合、（例えば、ＢＳＳ内のＡＰ／ＰＣＰおよび他のＳＴＡが、２ＭＨｚ、４ＭＨｚ、８ＭＨｚ、１６ＭＨｚ、または他のチャネル帯域幅動作モードをサポートしてもよい場合であっても）、プライマリチャネルは、１ＭＨｚ幅であってもよい。キャリア検知およびＮＡＶ設定は、プライマリチャネルのステータスに左右されることがある（例えば、プライマリチャネルが、例えば、１ＭＨｚ動作モードしかサポートしないＳＴＡがＡＰ／ＰＣＰに送信していることに起因してビジーである場合、利用可能な周波数帯域（例えば、利用可能な周波数帯域全体）は、周波数帯域（例えば、周波数帯域のほとんど）がアイドルであり、利用可能であってもビジーと見なされる）。
【００４７】
米国においては、８０２．１１ａｈによって使用することができる利用可能な周波数帯域は、９０２ＭＨｚから９２８ＭＨｚである。韓国においては、使用することができる利用可能な周波数帯域は、９１７．５ＭＨｚから９２３．５ＭＨｚであり、日本においては、使用することができる利用可能な周波数帯域は、９１６．５ＭＨｚから９２７．５ＭＨｚである。８０２．１１ａｈについての利用可能な全帯域幅は、国コードに応じて、６ＭＨｚから２６ＭＨｚである。
【００４８】
８０２．１１ａｃは、同じシンボルのタイムフレームにおける、例えば、ダウンリンクＯＦＤＭシンボルの間における、複数のＳＴＡに対するダウンリンクマルチユーザＭＩＭＯ（ＭＵ−ＭＩＭＯ）送信の概念を有する。ダウンリンクＭＵ−ＭＩＭＯは、８０２．１１ａｈにおいて使用されてもよい。ダウンリンクＭＵ−ＭＩＭＯは（例えば、それが８０２．１１ａｃにおいて使用されるとき）、複数のＳＴＡに対して同じシンボルタイミングを使用してもよい。複数のＳＴＡに対する波形伝送の干渉は、問題にならないことがある。ＡＰ／ＰＣＰとともにＭＵ−ＭＩＭＯ送信に関与するＳＴＡ（例えば、すべてのＳＴＡ）は、同じチャネルまたは帯域を使用してもよい（例えば、使用しなければならない）。動作帯域幅は、ＡＰ／ＰＣＰとともにＭＵ−ＭＩＭＯ送信に含まれる、ＳＴＡによってサポートされる最小チャネル帯域幅であってもよい。
【００４９】
８０２．１１ａｄは、６０ＧＨｚ帯域における超高スループット（ＶＨＴ）のためのＭＡＣおよびＰＨＹレイヤの仕様を定めたＷＬＡＮ規格の修正である。８０２．１１ａｄは、最大７Ｇビット／秒までのデータレートをサポートしてもよい。８０２．１１ａｄは、３つの異なる変調モード（例えば、シングルキャリアおよびスペクトル拡散を使用した制御ＰＨＹ、シングルキャリアＰＨＹ、ならびにＯＦＤＭ  ＰＨＹ）をサポートしてもよい。８０２．１１ａｄは、６０ＧＨｚ無認可帯域、および／または世界的に利用可能な帯域を使用してもよい。６０ＧＨｚにおいては、波長は、５ｍｍである。コンパクトなアンテナ、またはアンテナアレイが、６０ＧＨｚとともに、使用されてもよい。アンテナは、（例えば、送信機および受信機の両方において）狭いＲＦビームを生成してもよい。狭いＲＦビームは、カバレージ範囲を効果的に増加させることができ、干渉を低減させることができる。８０２．１１ａｄのフレーム構造は、ビームフォーミング（ＢＦ）トレーニングのためのメカニズム（例えば、発見および追跡）を容易にしてもよい。ビームフォーミングトレーニングプロトコルは、２つの構成要素、すなわち、セクタレベルスイープ（ＳＬＳ：sector level sweep）手順と、ビーム微調整プロトコル（ＢＲＰ：beam refinement protocol）手順とを含んでもよい。ＳＬＳ手順は、送信ビームフォーミングトレーニングのために使用されてもよい。ＢＲＰ手順は、受信ビームフォーミングトレーニングを可能にしてもよく、送信および／または受信ビームを（例えば、反復的に）微調整してもよい。ＭＩＭＯ送信（例えば、シングルユーザＭＩＭＯ（ＳＵ−ＭＩＭＯ）およびＭＵ−ＭＩＭＯ）は、８０２．１１ａｄによってサポートされないことがある。
【００５０】
図２は、例示的なセクタレベルスイープ（ＳＬＳ）トレーニング２００を示している。ＳＬＳトレーニング２００は、ビーコンフレームまたはセクタスイープ（ＳＳＷ）フレームを使用して実行されてもよい。ビーコンフレームが、利用されるとき、ＡＰ／ＰＣＰは、各ビーコン間隔（ＢＩ：beacon interval）において、複数のビームおよび／またはセクタを使用して、ビーコンフレームを繰り返してもよい。ビーコンフレームが利用されるとき、複数のＳＴＡは、ＢＦトレーニングを同時に実行してもよい。ＡＰ／ＰＣＰは、（例えば、ビーコンフレームのサイズに起因して）１つのＢＩにおいて、すべてのセクタおよび／またはビームをスイープすることができないことがある。ＳＴＡは、イニシエータセクタスイープ（ＩＳＳ）トレーニングを完了させるために、１つまたは複数のＢＩ（例えば、複数のＢＩ）にわたって待ってもよい。ＳＴＡが、ＩＳＳトレーニングを完了させるために、複数のＢＩにわたって待つとき、待ち時間が問題になることがある。ＳＳＷフレームは、（例えば、ポイントツーポイントＢＦトレーニングのために）利用されてもよい。
【００５１】
図３は、例示的なＳＳＷフレーム３００を示している。ＳＳＷフレーム３００は、制御ＰＨＹを使用して送信されてもよい。ＳＳＷフレーム３００は、フレーム制御フィールド、持続時間フィールド、受信機アドレス（ＲＡ）フィールド、送信機アドレス（ＴＡ）フィールド、ＳＳＷフィールド、ＳＳＷフィードバックフィールド、またはフレームチェックシーケンス（ＦＣＳ）フィールドのうちの１つまたは複数を含んでもよい。
【００５２】
図４は、例示的なＳＳＷフィールド４００を示している。ＳＳＷフィールド４００は、方向フィールド、カウントダウン（ＣＤＯＷＮ）フィールド、セクタＩＤフィールド、指向性マルチギガビット（ＤＭＧ）アンテナＩＤフィールド、または受信セクタスイープ（ＲＸＳＳ）長フィールドのうちの１つまたは複数を含んでもよい。
【００５３】
図５は、例示的なＳＳＷフィードバックフィールド５００を示している。例示的なＳＳＷフィードバックフィールド５００は、図５に示されるように、ＩＳＳの一部として送信されてもよい。ＳＳＷフィードバックフィールド５００は、ＩＳＳ内合計セクタフィールド、ＲＸ  ＤＭＧアンテナ数フィールド、必要ポーリングフィールド、または１つもしくは複数の予約フィールドのうちの１つまたは複数を含んでもよい。
【００５４】
図６は、別の例示的なＳＳＷフィードバックフィールド６００を示している。例示的なＳＳＷフィードバックフィールド６００は、図６に示されるように、ＩＳＳの一部としてではなく送信されてもよい。ＳＳＷフィードバックフィールド６００は、セクタ選択フィールド、ＤＭＧアンテナ選択フィールド、信号対雑音比（ＳＮＲ）レポートフィールド、必要ポーリングフィールド、または予約フィールドのうちの１つまたは複数を含んでもよい。
【００５５】
ビーム微調整（例えば、ビーム微調整プロトコル（ＢＲＰ））は、送信および／または受信のために、ＳＴＡが、それのアンテナ構成（例えば、またはアンテナ重みベクトル）を改善することを可能にしてもよい。ビーム微調整は、ビーム微調整プロトコル（ＢＲＰ）パケットを使用して、受信機および／または送信機アンテナをトレーニングすることを含んでもよい。２つのタイプのＢＲＰパケットが、すなわち、ＢＲＰ−ＲＸ（例えば、ＢＲＰ受信機）パケットと、ＢＲＰ−ＴＸ（例えば、ＢＲＰ送信機）パケットとが存在してもよい。
【００５６】
図７は、ＢＲＰフレームおよびトレーニング（ＴＲＮ）フィールドを搬送する、例示的な物理レイヤ収束手順（ＰＬＣＰ）プロトコルデータユニット（ＰＰＤＵ）７００である。ＢＲＰパケットは、例えば、指向性マルチギガビット（ＤＭＧ）ＰＰＤＵによって搬送されてもよく、トレーニングフィールドが後続してもよい。トレーニングフィールドは、ＡＧＣフィールドを含んでもよい。トレーニングフィールドは、送信機または受信機トレーニングフィールドであってもよい。
【００５７】
Ｎの値は、図７に示されるように、トレーニング長（例えば、ヘッダフィールドにおいて所与のトレーニング長）であってもよい。トレーニング長は、自動利得制御（ＡＧＣ）が４Ｎ個のサブフィールドを有することを示してもよく、ＴＲＮ−Ｒ／Ｔフィールドが５Ｎ個のサブフィールドを有することを示してもよい。チャネル推定（ＣＥ）サブフィールドは、プリアンブル内のＣＥＦと同じであってもよい。ビームトレーニングフィールド内のサブフィールド（例えば、すべてのサブフィールド）は、π／２回転させたＢＰＳＫ変調を使用して送信されてもよい。ＢＲＰ  ＭＡＣフレームは、アクション番号（Action No）確認応答（ＡＣＫ）フレームであってもよく、以下のフィールドのうちの１つまたは複数を、すなわち、カテゴリ、保護されないＤＭＧアクション、ダイアログトークン、ＢＲＰ要求フィールド、ＤＭＧビーム微調整要素、またはチャネル測定フィードバック要素１からチャネル測定フィードバック要素ｋのうちの１つまたは複数を含んでもよい。
【００５８】
ＩＥＥＥ８０２．１１ａｙ物理レイヤ（ＰＨＹ）、およびＩＥＥＥ８０２．１１ａｙ媒体アクセス制御レイヤ（ＭＡＣ）は、（例えば、ＭＡＣデータサービスアクセスポイントにおいて測定された）少なくとも２０ギガビット毎秒の最大スループットをサポートすることが可能な、少なくとも１つの動作モードを有してもよく、（例えば、局当たりの）電力効率を維持または改善してもよい。ＩＥＥＥ８０２．１１ａｙ物理レイヤ（ＰＨＹ）、およびＩＥＥＥ８０２．１１ａｙ媒体アクセス制御レイヤ（ＭＡＣ）は、後方互換性を有することができる４５ＧＨｚ超の認可免除（license-exempt）帯域を有してもよく、および／または同じ帯域において動作する指向性マルチギガビット局（例えば、ＩＥＥＥ８０２．１１ａｄ−２０１２修正によって定義されるようなレガシ）と共存してもよい。８０２．１１ａｙは、レガシ規格と同じ帯域において、動作してもよい。８０２．１１ａｙは、後方互換性に対するサポート、および／または同じ帯域内におけるレガシとの共存を含んでもよい。
【００５９】
８０２．１１ａｄは、単一のデータストリーム送信をサポートする。ＢＦトレーニングについては、各時間において、１つ（例えば、ただ１つ）の送信／受信ビームが、トレーニングおよび／または測定されてもよい。ＴＧａｙは、デバイスにおいて、２つ以上のＲＦフロントエンドをサポートしてもよい。同時マルチストリーム送信および／または受信が、ＴＧａｙにおいて使用されてもよい。ＭＩＭＯ  ＢＦトレーニングは、複数のＲＦフロントエンドを使用してもよく、および／またはトレーニングオーバヘッドを低減させることができる。
【００６０】
図８は、ＳＴＡのための例示的なビームパターン８００を示している。Ｎ×Ｎ  Ｔｘビームスイープは、図８において示されるように、ＳＴＡ１についての可能なビームパターンの組み合わせ（例えば、すべての可能な組み合わせ）を経験するために使用されてもよい。ＳＴＡは、１つまたは複数の送信ビームを使用して送信してもよい。例えば、ＳＴＡは、１つまたは複数の送信ビームを使用して送信するために、１つまたは複数のＲＦフロントエンドを使用してもよい。ＳＴＡは、送信ビームの第１のセットを使用して、送信フレームの第１のセットを送信してもよい。ＳＴＡは、送信ビームの第２のセットを使用して、送信フレームの第２のセットを送信してもよい。送信ビームの第２のセットは、送信ビームの第１のセットに属する１つまたは複数の送信ビームを含んでもよい。例えば、ＳＴＡ１は、２つのＲＦフロントエンドを有してもよく、同時に２つのビームを形成してもよい。第１のＲＦフロントエンドは、Ｎ個の異なるビームを形成してもよく、またはそれは、Ｎ個の異なるビームをスイープおよび／またはトレーニングすることを要求することがある。第２のＲＦフロントエンドは、Ｎ個の異なるビームを形成してもよく、またはそれは、Ｎ個の異なるビームをスイープおよび／またはトレーニングすることを要求することがある。ＳＴＡは、Ｎ×Ｎ送信ビームスイープを実行してもよい。例えば、ＳＴＡは、第１のＲＦフロントエンドのために、Ｎ個の送信ビームをスイープしてもよく、第２のＲＦフロントエンドのために、Ｎ個の送信ビームをスイープしてもよい。第１のＲＦフロントエンドは、第１のビーム８０２を形成してもよく、第２のＲＦフロントエンドは、第２のビーム８０４を形成してもよい。第１のビーム８０２および第２のビーム８０４は、同じビームインデックス（例えば、ビーム１）を有してもよい。ＳＴＡは、第１のビーム８０２および第２のビーム８０４を使用して、トレーニングフレームを送信してもよい。第１のＲＦフロントエンドは、第１のビーム８０２を使用し続けてもよく、一方、第２のＲＦフロントエンドは、第２のビーム８０４のスイープから第３のビーム８０６（例えば、ビームＮ）にスイープしてもよい。第１のＲＦフロントエンドは、第４のビーム（例えば、ビーム２、図示されず）を形成してもよい。ＳＴＡは、第４のビームおよび第２のビーム８０４を使用して、別のトレーニングフレームを送信してもよい。第１のＲＦフロントエンドは、第４のビームを使用し続けてもよく、一方、第２のＲＦフロントエンドは、第２のビーム８０４のスイープから第３のビーム８０６のスイープに移行してもよい。第１のＲＦフロントエンドは、第１のＲＦフロントエンドについての異なる（例えば、すべての）ビームをスイープし続けてもよく、一方、第２のＲＦフロントエンドは、それぞれの第１のＲＦフロントエンドビーム毎に、第２のビーム８０４のスイープから第３のビーム８０６のスイープに移行する。例えば、第１のＲＦフロントエンドは、第５のビーム８０８（例えば、ビームＮ）を形成してもよく、第２のＲＦフロントエンドは、第２のビーム８０４のスイープから第３のビーム８０６のスイープに移行してもよい。
【００６１】
マルチＴｘトレーニングは、２つ以上のビームおよび／またはセクタを通じて、フレームを同時に送信する送信機／イニシエータを含んでもよい。送信機は、トレーニング期間の１つまたは複数のタイムスロットにおいてフレームを送信してもよい。同時ビームは、送信機側において直交していてもよい。送信機は、１つもしくは複数のアンテナ、および／もしくはアンテナアレイ（例えば、偏波アンテナ）、または直交指向性アンテナを使用して直交性を生成してもよい。複数のＲＦフロントエンドが、送信機／イニシエータ側において使用されてもよい。マルチＲｘトレーニングは、２つ以上のビームおよび／またはセクタを通じてフレームを同時に受信する受信機／レスポンダを含んでもよい。複数のＲＦフロントエンドは、受信機／レスポンダ側において使用されてもよい。マルチＴｘおよび／またはマルチＲｘ能力は、ＳＴＡによって示されてもよく、管理フレームおよび／または制御フレームにおいて（例えば、ＥＤＭＧ能力、送信ＢＦ能力、および受信ＢＦ能力フィールドにおいて）示されてもよい。
【００６２】
後方互換性実施が開示されてもよい。例えば、（例えば、１つのＲＦフロントエンドを有する）レガシＳＴＡは、ブロードキャスト／マルチキャストトレーニングに参加してもよい。ＡＰ／ＰＣＰは、利用可能な複数のＲＦフロントエンドを有するデバイスであってもよい。ＡＰ／ＰＣＰは、トレーニングＴＸＯＰのイニシエータであってもよい。（例えば、ＥＤＭＧ  ＳＴＡおよびレガシＳＴＡの両方を含む）１つまたは複数のＳＴＡは、（例えば、それらが、ＡＰ／ＰＣＰとともにＢＦトレーニング／追跡を実行することを要求する場合）潜在的なレスポンダであってもよい。単入力単出力（ＳＩＳＯ）および／またはＭＩＭＯ  ＢＦトレーニングは、同時に使用されてもよい。１つまたは複数のレガシＳＴＡは、ＳＩＳＯ  ＢＦトレーニングのためのトレーニングＴＸＯＰを使用してもよい。１つまたは複数のＥＤＭＧ  ＳＴＡは、ＳＩＳＯ／ＭＩＭＯ  ＢＦトレーニングのために、同じトレーニングＴＸＯＰを使用してもよい。レガシＳＴＡは、ＭＩＭＯ  ＢＦトレーニングをサポートせず、および／または複数のＲＦフロントエンドを有さない、ＳＴＡであってもよい。ＥＤＭＧ  ＳＴＡは、拡張された指向性マルチギガビットＳＴＡであってもよい。
【００６３】
図９は、例示的なＭＩＭＯ  ＢＦトレーニング９００を示している。トレーニングフレームは、ＤＭＧ  ＰＰＤＵを使用して送信されてもよく、後方互換であってもよい。ＤＭＧ  ＰＰＤＵは、チャネル推定（ＣＥ）フィールドを含んでもよい（例えば、単一のデータストリームのチャネル推定を実行することができてもよい）。ＡＰ／ＰＣＰまたはイニシエータは、複数のビームおよび／またはセクタを通じて同時に送信してもよい。ＡＰ／ＰＣＰは、同じデータパケットを送信してもよい。ＭＩＭＯ  ＢＦトレーニング９００においては、イニシエータは、トレーニング告知、トレーニング期間９０４、フィードバック期間９０６、および／または確認応答期間９０８を使用してもよい。
【００６４】
トレーニング告知については、イニシエータ（例えば、ＡＰ／ＰＣＰ／ＳＴＡ）は、例えば、競合および／またはスケジューリングを通じてチャネルを取得してもよい。イニシエータは、チャネルを通じて１つまたは複数のレスポンダにトレーニング告知フレーム９０２を送信してもよい。トレーニング告知フレーム９０２は、エンコードされたＤＭＧ（ＥＤＭＧ）ＭＡＣフレームであってもよい。トレーニング告知フレーム９０２は、低レートで送信することができるブロードキャスト／マルチキャストフレームであってもよい。トレーニング告知フレーム９０２は、ＥＤＭＧ／ＤＭＧ  ＰＰＤＵによって搬送されてもよい。トレーニング告知フレーム９０２は、マルチＴＸのために使用することができるトレーニング期間９０４、および／またはマルチＲＸトレーニング方式、および／またはマルチＴＸトレーニングのレスポンダ受信トレーニングとの組み合わせを示してもよい。イニシエータは、イニシエータとレスポンダとの間で交換される能力設定に基づいて、マルチＴＸトレーニングおよび／またはマルチＲＸトレーニングを実行すべきかどうかを決定してもよい。能力設定交換（capability setting exchange）は、アソシエーション（association）ステージ、ビーコン送信ステージ、またはトレーニング告知フレーム９０２の送信および／もしくは受信の前（例えば、直前）に行われてもよい。トレーニング告知フレーム９０２は、（例えば、２つ以上のトレーニング期間が予期されることがある場合）ＴＸＯＰが直列化（cascading）ＴＸＯＰであってもよいことを示してもよい。例えば、第１のＳＴＡは、第２のＳＴＡにトレーニング告知フレーム９０２を送信してもよい。トレーニング告知フレーム９０２は、トレーニング期間９０４、ならびに同時送信および受信トレーニングを示してもよい。
【００６５】
トレーニング期間９０４は、トレーニング告知フレーム９０２の受信後に開始してもよい。トレーニング告知フレーム９０２の後、イニシエータ、例えば、ＡＰ／ＰＣＰ／ＳＴＡは、（例えば、２つ以上の異なる／直交するビームを使用して）トレーニングフレーム９１０を同時に送信してもよい。トレーニングフレーム９１０は、ＤＭＧ  ＰＰＤＵにおいて搬送されてもよい。トレーニングフレームのＭＡＣ本文（body）は、ＳＳＷフレーム、または規格（例えば、レガシ規格）において定義された他のタイプのフレームであってもよい。トレーニングフレーム９１０を送信するために、複数のビームおよび／またはセクタが、（例えば、同時に）使用されてもよい。セクタＩＤを有する同じＭＡＣフレームが、トレーニングフレーム９１０において示されてもよい。ＥＤＭＧ  ＳＴＡは、セクタＩＤをセクタペアリングＩＤとして解釈してもよい。
【００６６】
セクタペアリングＩＤと対応するペアにされたセクタとの間のマッピングは、（例えば、トレーニング告知フレームにおいて）伝達されてもよい。例えば、セクタペアリングＩＤ  ｋは、セクタｍおよびｎを指してもよい。この例においては、セクタペアリングＩＤ  ｋは、セクタｍおよびｎを使用してイニシエータによって同時に送信することができる、トレーニングフレーム内に含まれてもよい。セクタペアリングＩＤ  ｋ＝セクタ（ｍ，ｎ）のマッピングは、トレーニング告知フレームに基づいて決定されてもよい。セクタペアリングＩＤ  ｋ＝セクタ（ｍ，ｎ）のマッピングは、トレーニング告知フレームにおいて定義されてもよい。レガシＳＴＡまたはＥＤＭＧ  ＳＴＡは、トレーニングフレームが２つ以上のセクタを使用して送信されてもよいことを認識しないことがある。トレーニングフレーム９１０は、（例えば、レスポンダ受信トレーニングのために）特別のトレーニングシーケンスを含んでもよい。（例えば、特別のトレーニングシーケンスのために）利用されるビームおよび／またはセクタは、トレーニングフレーム９１０のプリアンブルおよび／またはＭＡＣ本文のために使用されるそれらと同じであってもよい。ＳＴＡは、トレーニングフレーム９１０を送信するために使用される複数のビームおよび／またはセクタを介して、１つまたは複数の追加のトレーニングフレーム９１２を送信してもよい。
【００６７】
フィードバック（ＦＢ）期間９０６は、トレーニング期間９０４が終了後のフレーム間間隔（ｘＩＦＳ）期間であってもよい。イニシエータは、１つまたは複数のレスポンダからのフィードバック９１４Ａ、９１４Ｂ、９１４Ｃの受信を準備してもよく、それは、フィードバック期間９０６と称されてもよい。ＦＢ期間９０６は、ポーリングを使用して、または使用せずに送信されてもよい。アクセス方式は、スケジュールベースまたはランダムアクセスベースであってもよい。イニシエータは、ダウン選択要求フィールドを有するＦＢフレームを受信してもよい。例えば、レスポンダは、イニシエータに送信されるフィードバック９１４Ａ、９１４Ｂ、９１４Ｃにダウン選択要求を含めてもよい。イニシエータは、受信されたフィードバック９１４がダウン選択要求を含むかどうかに基づいて、ダウン選択トレーニングを実行すべきかを決定してもよい。ダウン選択トレーニングは、トレーニング期間９０４において使用された送信ビームのサブセットを選択することを含んでもよい。例えば、トレーニング期間９０４において使用された最良のＮ個の送信ビームは、ダウン選択トレーニングのために選択されてもよい。
【００６８】
確認応答期間９０８は、ＦＢ期間９０６が終了後のｘＩＦＳ期間であってもよい。イニシエータは、１つまたは複数のレスポンダに１つまたは複数の確認応答フレーム９１６を送信してもよい。確認応答フレーム９１６は、ダウン選択インジケーションを搬送することができる、制御フレームとともに集約されてもよい。ダウン選択インジケーションは、１つまたは複数のレスポンダに送信されてもよい。ダウン選択インジケーションは、確認応答フレーム９１６、例えば、変更された確認応答フレームにおいて搬送されてもよい。ダウン選択インジケーションは、ダウン選択を実行する必要性を示してもよい。例えば、ダウン選択インジケーションは、ダウン選択トレーニング期間が必要とされることをレスポンダに示すために、イニシエータによって使用されてもよい。レスポンダからフィードバックされたペアリングビームの中のビーム（例えば、一定の品質のビーム）が、ダウン選択トレーニング期間において選択され、再ペアリングまたは再グループ化されてもよい。ダウン選択トレーニング期間は、現在のトレーニングＴＸＯＰ内にあってもよく、および／またはＡＣＫ送信に後続してもよい。ダウン選択トレーニング期間は、別個のトレーニングＴＸＯＰ内にあってもよい。確認応答フレーム９１６、または確認応答フレーム９１６とともに集約されてもよい制御フレームにおいて、より多くのトレーニングビットが設定されてもよい。より多くのトレーニングビットは、ダウン選択ＭＩＭＯトレーニング微調整が予期することができるときに、直列トレーニング微調整期間を示してもよい。より多くのトレーニングビットが設定されない場合、ダウン選択トレーニング期間は、現在のトレーニングＴＸＯＰの一部でなくてもよい。ダウン選択トレーニング期間は、後でスケジュールされてもよい。最後のトレーニングビットが、設定されてもよい。最後のトレーニングビットは、確認応答フレーム９１６の後、もはやトレーニング期間が予期されなくてもよいことを示してもよい。
【００６９】
レスポンダは、トレーニング告知フレーム９０２を受信（例えば、検出）してもよい。レスポンダは、トレーニング期間９０４、ＦＢ期間９０６、または確認応答期間９０８の割り当てのうちの１つまたは複数を認識することができる。レスポンダは、後続のトレーニング期間９０４が、マルチＴＸおよび／もしくはマルチＲＸトレーニング方式、またはマルチＴＸトレーニングのレスポンダ受信トレーニングとの組み合わせのために使用されてもよいことを認識することができる。ＴＸＯＰがマルチＲＸトレーニング方式のために使用されてもよく、レスポンダがマルチＲＸトレーニングを実行することができてもよいケースにおいては、レスポンダは、トレーニング期間９０４の間に、マルチＲＸトレーニングを実行してもよい。
【００７０】
トレーニング期間９０４において、レスポンダは、トレーニングフレームの１つが選択されたことを、準全方向ビームまたは別のセクタ／ビーム／ＡＶＷを使用して検出してもよい。レスポンダは、送信されるトレーニングフレームの残りの数を認識することができ、送信されるトレーニングフレームの残りの数を、トレーニングフレームのＭＡＣフレームにおいて搬送される情報に基礎づかせてもよい（base）。ヌルデータパケット（ＮＤＰ）トレーニングフレームが利用される場合、レスポンダは、ＰＬＣＰヘッダ内のＮＤＰインジケーションビットをチェックすることによって、ＮＤＰトレーニングフレームが利用されることを認識することができる。レスポンダは、送信されるトレーニングフレームの残りの数を決定するために、トレーニングフレーム９１０、９１２のＰＬＣＰヘッダを再解釈してもよい。トレーニングフレームＰＬＣＰヘッダおよび／またはトレーニング告知フレームにおいて搬送される情報に基づいて、レスポンダは、現在のトレーニングフレームの最後に付加されてもよい、Ｋ個の特別なＡＧＣ／トレーニングシーケンスを受信してもよい。
【００７１】
レスポンダは、（例えば、それがマルチＲＸ能力を有する場合）トレーニング期間９０４において、マルチＲＸトレーニングを実行してもよい。ＰＬＣＰヘッダおよびＭＡＣ本文部分については、レスポンダは、２つ以上の受信ビームを使用して受信してもよい。特別なトレーニングシーケンスについては、レスポンダは、受信トレーニングのための受信ビームを切り換えてもよい。トレーニングシーケンス毎に、レスポンダは、測定のために、２つ以上の受信ビームを形成してもよい。
【００７２】
図１０は、マルチ送信機／受信機トレーニング１０００のための例示的なアンテナパターンを示している。この例においては、イニシエータおよび受信機の両方が、２つのフェーズドアンテナアレイ（ＰＡＡ）を有してもよいが、それらの各々は、ＲＦフロントエンドを使用して接続されてもよい。イニシエータは、それぞれＰＡＡ１およびＰＡＡ２によって形成することができるビームｍおよびビームｎを使用して、トレーニングフレームを送信してもよい。レスポンダは、ＰＬＣＰヘッダおよびＭＡＣ本文受信のために、それぞれレスポンダＰＡＡ１およびＰＡＡ２によって形成することができる２つの選択されたＲｘビームを使用してもよい。後続の特別なＡＧＣおよびトレーニングシーケンスのために、レスポンダＰＡＡ１およびＰＡＡ２は、それぞれ、それらの受信ビームをスイープしてもよい。図９に示された例は、後方互換性が必要とされない場合に使用されてもよい。
【００７３】
図１０に示されるように、イニシエータ１００２は、レスポンダ１００４に、ＰＬＣＰヘッダ１００６と、ＭＡＣ本文１００８と、４つのＡＧＣフィールドを有するアクセスチャネル（ＡＣＨ）１０１０と、ＣＥフィールドおよび４つのＢＲＰフィールドを有するＢＲＰトレーニング１０２０とを有するメッセージを送信してもよい。イニシエータ１００２は、ＴＸビームＭ１０３４を使用するＰＡＡ１  １０３２と、ＴＸビームＮ１０３８を使用するＰＡＡ２  １０３６とを有してもよい。レスポンダ１００４は、ＰＡＡ１  １０４２とＰＡＡ２  １０４６とを有してもよい。ＰＡＡ１  １０４２は、選択されたビームＸ１０４４と、４つのＡＧＣフィールドを有するＡＣＨ１０５０と、４つまたは５つのＢＲＰフィールドを有するＢＲＰトレーニングフィールド１０５２とを有してもよい。ＰＡＡ１  １０４２および／またはＰＡＡ２  １０４６については、第１のＡＧＣフィールドは、第２のＢＲＰフィールドに対応してもよい。第２のＡＧＣフィールドは、第３のＢＲＰフィールドに対応してもよい。第３のＡＧＣフィールドは、第４のＢＲＰフィールドに対応してもよい。第４のＡＧＣフィールドは、第５のＢＲＰフィールドに対応してもよい。ＰＡＡ２  １０４６は、選択されたビームＹ１０４８と、４つのＡＧＣフィールドを有するＡＣＨ１０５０と、４つまたは５つのＢＲＰフィールドを有するＢＲＰトレーニングフィールド１０５２とに関連付けられてもよい。
【００７４】
フィードバック期間は、レスポンダによって使用されてもよい。レスポンダは、トレーニング期間が終了後のｘＩＦＳ時間に、フィードバック期間を開始してもよい。レスポンダは、トレーニング期間の長さを推定してもよい。レスポンダは、ＦＢ期間のタイプに基づいてＦＢを準備してもよい。ＦＢは、イニシエータの１つまたは複数の送信ビームと関連付けられてもよく、チャネル状態情報（ＣＳＩ）または１つもしくは複数のビーム識別情報（ＩＤ）のうちの１つまたは複数を含んでもよい。ＦＢは、ＦＢフレームを使用して送信されてもよい。レスポンダは、（例えば、トレーニング告知フレームを通じて）トレーニング期間の持続時間を認識することができる。レスポンダは、トレーニング期間および／またはＦＢ期間の境界を認識することができる。ＦＢ期間は、ポーリングを使用して、または使用せずに送信されてもよい。利用される複数のアクセス方式は、スケジュールベースまたはランダムアクセスベースであってもよい。レスポンダは、（例えば、マルチＲＸ方式が、先行するトレーニング期間において利用されたケースにおいて）２つ以上のビームを使用してＦＢフレームを送信してもよい。例えば、イニシエータは、それが、ＦＢ期間の間に、複数のビームを使用して受信していることがあることを示してもよい（例えば、このインジケーションは、トレーニング告知フレームおよび／またはトレーニングフレーム内に含まれてもよい）。ＦＢフレームは、複数のデータストリームを使用して、変調および送信されてもよい。ＦＢは、ダウン選択要求を含んでもよい。例えば、レスポンダは、（例えば、レスポンダが、より多くのトレーニングを要求している場合）ＦＢフレーム内にダウン選択要求インジケーションを含んでもよい。
【００７５】
確認応答期間は、ＦＢ期間が終了後のｘＩＦＳ期間であってもよい。レスポンダは、イニシエータからの１つまたは複数の確認応答フレームの受信を準備してもよい。確認応答フレームは、ダウン選択インジケーションとともに集約されてもよい。例えば、ダウン選択インジケーションは、１つまたは複数の確認応答フレームのうちの確認応答フレーム内に含まれてもよい。ダウン選択インジケーションは、ペアリングビームの中において１つまたは複数の最良ビームを選択するために使用されてもよい、ダウン選択を実行する必要性（例えば、別のダウン選択トレーニング期間）を示してもよい。ダウン選択トレーニング期間は、現在のトレーニングＴＸＯＰ内にあってもよく、およびＡＣＫ送信に後続してもよい。ダウン選択トレーニング期間は、現在のトレーニングＴＸＯＰの一部でなくてもよく、例えば、後でスケジュールされてもよい。
【００７６】
ＥＤＭＧは、後方互換でなくてもよい。ＡＰ／ＰＣＰは、利用可能な複数のＲＦフロントエンドを有するデバイスとともに使用されてもよい。ＡＰ／ＰＣＰは、トレーニングＴＸＯＰのイニシエータであってもよい。１つまたは複数のＥＤＭＧ  ＳＴＡは、潜在的なレスポンダであってもよい（例えば、ＳＴＡは、ＡＰ／ＰＣＰとともにＢＦトレーニング／追跡を実行することを要求することがある）。ＥＤＭＧは、ＳＩＳＯおよび／またはＭＩＭＯ  ＢＦトレーニングのために同時に使用されてもよい。ＳＴＡは、ＳＩＳＯ  ＢＦトレーニングのために、トレーニングＴＸＯＰを使用してもよい。ＳＴＡは、ＳＩＳＯ／ＭＩＭＯ  ＢＦトレーニングのために、同じトレーニングＴＸＯＰを使用してもよい。
【００７７】
トレーニングＴＸＯＰは、１つまたは複数のブロードキャスト／マルチキャスト送信を含むことができる、一点対多点ＭＩＭＯ  ＢＦトレーニングのために使用されてもよい。トレーニングＴＸＯＰは、ポイントツーポイントＭＩＭＯ  ＢＦトレーニングのために使用されてもよい。トレーニングＴＸＯＰは、別のトレーニングＴＸＯＰ、例えば、ダウン選択トレーニングＴＸＯＰと直列化（cascade）されてもよく、または直列化されなくてもよい。
【００７８】
図１１は、例示的なＰ２Ｐ直列トレーニングＴＸＯＰ１１００を示している。直列トレーニングＴＸＯＰ１１００におけるフレームは、レガシＳＴＡによって理解されなくてもよい。Ｐ２Ｐ直列トレーニングＴＸＯＰ１１００は、後方互換性を含んでもよい。Ｐ２Ｐ直列トレーニングＴＸＯＰ１１００におけるトレーニングフレームは、レガシフォーマットを使用して、送信されてもよい。
【００７９】
Ｐ２Ｐ直列トレーニングＴＸＯＰ１１００は、トレーニング告知１１０２、例えば、トレーニング告知フレーム、トレーニング期間１１０４、フィードバック期間、確認応答期間、またはダウン選択トレーニング期間１１０８のうちの１つまたは複数を含んでもよい。トレーニング期間１１０８の複数のタイムスロットにおいて、複数のトレーニングフレームが送信されてもよい。
【００８０】
トレーニング告知１１０２について、イニシエータ、例えば、ＡＰ／ＰＣＰ／ＳＴＡは、競合および／またはスケジューリングを通じてチャネルを取得してもよい。イニシエータは、Ｐ２Ｐ送信のために、トレーニング告知フレーム、ＥＤＭＧ  ＭＡＣフレーム（例えば、新たに設計されるＥＤＭＧ  ＭＡＣフレーム）、またはユニキャストフレームのうちの１つまたは複数を送信してもよい。トレーニング告知フレームは、ビームフォーミングトレーニングの前に、１つまたは複数のレスポンダ（例えば、ＳＴＡ）に送信されてもよい。低データレート送信が使用されてもよく、これは、保護を提供することができる。トレーニング告知フレームは、新しいまたはレガシ（ＥＤＭＧ／ＤＭＧ）ＰＰＤＵによって搬送されてもよい。トレーニング告知フレームは、トレーニング期間（例えば、後続するトレーニング期間）が、マルチＴＸおよび／もしくはマルチＲＸトレーニング方式のために、またはマルチＴＸトレーニングのレスポンダ受信トレーニングとの組み合わせのために使用されてもよいことを示してもよい。トレーニング告知フレームは、（例えば、２つ以上のトレーニング期間が予期されてもよい場合）ＴＸＯＰが直列化ＴＸＯＰであってもよいことを示してもよい。
【００８１】
トレーニング告知フレームの後、イニシエータ、例えば、ＡＰ／ＰＣＰ／ＳＴＡは、トレーニング期間１１０４の間に、複数の第１のトレーニングフレーム１１１０、１１１２を（例えば、同時に）送信してもよく、複数の第１のトレーニングフレーム１１１０、１１１２の送信のために、２つ以上の異なる／直交するビームを使用してもよい。複数の第１のトレーニングフレーム１１１０、１１１２は、トレーニング期間１１０４の第１のタイムスロットにおいて送信されてもよい。異なるビームを使用して同時に送信される、複数の第１のトレーニングフレーム１１１０、１１１２は、異なってもよく、それらは、対応するビームＩＤを搬送してもよい。イニシエータは、複数の第２のトレーニングフレーム１１１４、１１１６を送信してもよい。複数の第２のトレーニングフレーム１１１４、１１１６は、トレーニング期間１１０４の第２のタイムスロットにおいて送信されてもよい。トレーニングフレームは、ＥＤＭＧ  ＰＰＤＵにおいて搬送されてもよい。受信機が、複数の送信ポート／ＰＡＡ／ＲＦフロントエンドからＭＩＭＯチャネルを推定してもよいように、２つ以上のチャネル推定フィールドまたは直交チャネル推定フィールドが、含まれてもよい。トレーニングフレームのＭＡＣ本文は、ＳＳＷフレーム、ＢＲＰフレーム、ヌルデータフレーム、またはＥＤＭＧフレームであってもよい。
【００８２】
フィードバック期間が、使用されてもよい。フィードバック期間は、トレーニング期間１１０４が終了後のｘＩＦＳ期間であってもよい。レスポンダは、第１のフィードバックフレーム１１１８を送信してもよい。第１のフィードバックフレーム１１１８は、ダウン選択／特別ＭＩＭＯ  ＢＦ要求インジケーション、および／またはＢＥＡＭ  ＩＤ  ＣＳＩフィードバックを含んでもよい。ダウン選択／特別ＭＩＭＯ  ＢＦ要求インジケーションは、０または１に設定されてもよい。第１のフィードバックフレーム１１１８は、１つまたは複数のＣＤＯＷＮ値を含んでもよい。
【００８３】
ダウン選択／特別ＭＩＭＯ  ＢＦ要求インジケーションが０に設定された場合、トレーニングフレームは、異なる／直交するビームを使用して同時に送信されてもよい。レスポンダは、同時ビーム（例えば、同時ビームのすべて）を検出してもよい。ビーム方向は、レスポンダに適合してもよい。ビームのセットが、マルチストリームＭＩＭＯ送信のために使用されてもよい。
【００８４】
ダウン選択／特別ＭＩＭＯ  ＢＦ要求インジケーションが１に設定された場合、ビームの少なくともいくつかが検出されてもよい。受信機をターゲットとしないビーム方向のいくつかは検出されなくてもよい。検出されたビームの数が、サポートされるＭＩＭＯストリームの数よりも少ない場合、検出することができたビームは、マルチストリームＭＩＭＯ送信の一部として記録または使用されてもよい。後続のＭＩＭＯダウン選択トレーニングが使用されてもよい。
【００８５】
レスポンダは、第１のフィードバックフレーム１１１８において、ビームＩＤ／ＣＳＩフィードバックを提供してもよい。ビームＩＤフィードバックを使用するビームＩＤ／ＣＳＩフィードバックについては、レスポンダは、Ｍ個のビーム（例えば、一定の品質を有するＭ個のビーム）をフィードバックしてもよい。Ｍは、サポートされるＭＩＭＯストリームの数以上であってもよい。レスポンダは、（例えば、チャネル状態情報（ＣＳＩ）フィードバックのケースにおいて）時間領域および／または周波数領域ＣＳＩをフィードバックしてもよい。レスポンダは、１つまたは複数のＣＤＯＷＮ値をフィードバックしてもよい。
【００８６】
確認応答期間は、ＦＢ期間が終了後のｘＩＦＳ期間であってもよい。イニシエータは、確認応答フレーム１１０６を送信してもよい。確認応答フレーム１１０６は、ダウン選択インジケーションとともに集約されてもよい。ダウン選択インジケーションは、ダウン選択トレーニング期間１１０８を示すために、イニシエータによって使用されてもよい。ダウン選択インジケーションは、ＭＩＭＯビームフォーミング要求インジケーションであってもよい。ダウン選択トレーニング期間１１０８は、フィードバックにおいてレスポンダから示されたビームの中からＭＩＭＯビーム（例えば、一定の品質のＭＩＭＯビーム）を選択するために、使用されてもよい。ダウン選択トレーニング期間１１０８は、現在のトレーニングＴＸＯＰ内にあってもよく、またはそうでなくてもよい。
【００８７】
ダウン選択トレーニング期間１１０８は、現在のトレーニングＴＸＯＰ内にあってもよく、および／またはＡＣＫ送信に後続してもよい。トレーニングビットは、直列トレーニング微調整および／またはダウン選択が予期されてもよいことを示すように、設定されてもよい。
【００８８】
ダウン選択トレーニング期間１１０８は、現在のトレーニングＴＸＯＰの一部でなくてもよい。ダウン選択トレーニング期間１１０８は、現在のトレーニングＴＸＯＰの後にスケジュールされてもよい。ダウン選択トレーニング期間１１０８において、イニシエータは、複数のダウン選択されたビームを介して、１つまたは複数の第３のトレーニングフレーム１１２０、１１２２（例えば、トレーニングフレームＩおよびトレーニングフレームＪ）を送信してもよい。複数のダウン選択されたビームは、トレーニング期間１１０４において使用された送信ビームの第１のセットおよび第２のセットのサブセットであってもよい。例えば、イニシエータは、トレーニング期間１１０４において使用された送信ビームの第１および第２のセットのサブセットを介して、１つまたは複数の第３のトレーニングフレーム１１２０、１１２２を送信してもよい。複数のダウン選択されたビームは、レスポンダから受信された第１のフィードバック１１１８に基づいて決定されてもよい。イニシエータは、複数のダウン選択されたビームを介して、１つまたは複数の第４のトレーニングフレーム１１２４、１１２６（例えば、トレーニングフレームＫおよびトレーニングフレームＬ）を送信してもよい。トレーニングビット（例えば、最後のトレーニングビット）は、（例えば、確認応答フレームの後）もはやトレーニング期間が予期されなくてもよいことを示すように設定されてもよい。最後のトレーニングビットは、ＴＸＯＰ（例えば、現在のＴＸＯＰ）を切り詰める（truncate）ことのインジケーションとして、解釈されてもよい。
【００８９】
ダウン選択トレーニング期間が使用されてもよい。イニシエータは、再ペアビームを使用してもよく、ビームペアを使用して、（例えば、ＭＩＭＯトレーニングのために同時に）送信してもよい。
【００９０】
フィードバック期間および／または確認応答期間は、ダウン選択トレーニング期間１１０８に続いてもよい。レスポンダは、例えば、ダウン選択トレーニング期間１１０８の間に受信されたトレーニングフレーム（例えば、１つまたは複数の第３および／または第４のトレーニングフレーム）に基づいて、第２のフィードバック１１２８を決定してもよい。第２のフィードバック１１２８は、第３および／または第４のトレーニングフレームを送信するのに使用された１つまたは複数の送信ビームと関連付けられてもよい。第２のフィードバック１１２８は、ダウン選択トレーニング期間１１０８において決定された１つまたは複数の第２の最良ビームと関連付けられた、ＣＳＩおよび／または１つもしくは複数のビームＩＤを含んでもよい。イニシエータは、例えば、第２のフィードバック１１２８の受信に応答して、第２のＡＣＫフレーム１１３０を送信してもよい。ＭＩＭＯ  ＢＦトレーニング基準が満たされない場合、第２のダウン選択トレーニング期間が続いてもよい。ＭＩＭＯ  ＢＦトレーニング基準は、選択された仮想チャネルの直交性／ランク／状態数に応じてもよい。ＭＩＭＯ  ＢＦは、実施に応じてもよい。
【００９１】
図１１に示されるように、ＳＴＡ１は、イニシエータであってもよく、ＳＴＡ２は、レスポンダであってもよい。ＳＴＡ１は、２Ｎ個のビームをトレーニングしてもよい。ＳＴＡ１は、２Ｎ個の送信を実行してもよい。ＳＴＡ１は、送信を示してもよく、送信が仮想アンテナポートまたはＰＡＡまたはＲＦフロントエンドからであることを示してもよい（例えば、図９に示されるように、ＳＴＡ１は、２つのＰＡＡまたは２つのＲＦフロントエンドを有する）。ＳＴＡ２は、各アンテナポート／ＰＡＡ／ＲＦフロントエンド毎に、Ｍ個のビーム（例えば、一定の品質のビーム）をフィードバックしてもよい。ＳＴＡ２は、複数のＲＸ  ＰＡＡ／チェーンを有してもよい。ＳＴＡ２は、それのＰＡＡ／チェーン（例えば、すべてのＰＡＡ／チェーン）の測定から、Ｍ個のビーム（例えば、一定の品質のビーム）をフィードバックしてもよく、各ＰＡＡ／チェーンは、各Ｔｘ  ＰＡＡ／チェーンに対するものであってもよい。Ｍは、事前選択された数であってもよく、またはトレーニング告知フレームにおいて、イニシエータによって設定／伝達されてもよい。例えば、図１１に示されるように、ＭＩＭＯビームトレーニングおよび／またはビームペアリング微調整のために、直列トレーニングＴＸＯＰが使用されてもよい。本明細書において説明されるＢＦトレーニングは、他の目的のために使用されてもよい。第１のトレーニング期間は、アナログ領域ビームスイープのために使用されてもよい。第２のトレーニング期間は、デジタル領域クローズドループＭＩＭＯプリコーディングトレーニングのために使用されてもよい。ハイブリッドビームフォーミングが実施されてもよい。トレーニングタイプ（例えば、ＭＩＭＯビームペアリングまたはハイブリッドＢＦトレーニングなど）は、イニシエータによって決定されてもよく、および／またはレスポンダによって提案されてもよい。第１のトレーニング期間の後のＦＢフレームは、ＭＩＭＯビームペアリング、ハイブリッドＢＦトレーニング、または別のタイプのトレーニングを提案するためのインジケーションを搬送してもよい。イニシエータは、確認応答期間において、後続する直列トレーニング期間についての正確なまたは決定されたトレーニングタイプを示してもよい。イニシエータは、トレーニングタイプを示すために、または確認応答フレームにトレーニングタイプフィールドを追加するために、ダウン選択インジケーションを使用してもよい。
【００９２】
ＢＦトレーニングは、例えば、図１１に示されるように、ブロードキャスト／マルチキャストトレーニング告知フレームを使用したＰ２ＭＰとともに使用されてもよい。ＦＢ期間は、ポーリングを使用して、または使用せずに送信されてもよい。ＦＢ期間は、スケジュールベース、またはランダムアクセスベースであってもよい。
【００９３】
同じトレーニングフレームが、第１のトレーニング期間および後続するダウン選択トレーニング期間のために利用されてもよい。異なるトレーニングフレームが使用されてもよい。例えば、ＳＬＳまたは拡張ＳＬＳ（ｅＳＬＳ）のために設計されたトレーニングフレームは、いくつかのトレーニング期間／ダウン選択トレーニング期間のために使用されてもよく、一方、ＢＲＰまたは拡張ＢＲＰ（ｅＢＲＰ）のために設計されたトレーニングフレームは、いくつかのトレーニング期間／ダウン選択トレーニング期間のために使用されてもよい。
【００９４】
図１１に示された例示的なＰ２Ｐ直列トレーニングＴＸＯＰにおいて、ダウン選択インジケーションを有するＡＣＫ／ＢＡフレーム、またはダウン選択インジケーションを搬送する制御フレームとともに集約されたＡＣＫ／ＢＡフレームが使用されてもよい。ＡＣＫ／ＢＡフレームは、フィードバックフレームの受信について確認応答するために使用されてもよい。ｘＩＦＳ期間後に、トレーニング告知フレーム、またはダウン選択／微調整トレーニング告知フレームなどの制御フレームが、ダウン選択トレーニング期間の開始を示すために使用されてもよい。第１のトレーニング期間、および第２のトレーニング期間（例えば、図１１に示されるダウン選択トレーニング期間１１０８）は、１つのＴＸＯＰにおいて、時間的に隣接することを必要としなくてもよい。それらは、複数のＴＸＯＰまたはサービス期間において別々に送信されてもよい。
【００９５】
本明細書において説明されたソリューションは、８０２．１１固有のプロトコルを考えているが、本明細書において説明されたソリューションは、このシナリオに限定されず、他の無線システムに適用可能であってもよいことが理解される。
【００９６】
上では特徴および要素が特定の組み合わせまたは順序で説明され得るが、各特徴または要素は、単独で使用されることができ、または他の特徴および要素との任意の組み合わせで使用されることができることを当業者は理解されよう。加えて、本明細書で説明された方法は、コンピュータまたはプロセッサによって実行される、コンピュータ可読媒体内に包含された、コンピュータプログラム、ソフトウェア、またはファームウェアで実施されてもよい。コンピュータ可読媒体の例は、（有線または無線接続上で送信される）電子信号、およびコンピュータ可読記憶媒体を含む。コンピュータ可読記憶媒体の例は、限定されることなく、リードオンリメモリ（ＲＯＭ）、ランダムアクセスメモリ（ＲＡＭ）、レジスタ、キャッシュメモリ、半導体メモリデバイス、内蔵ハードディスクおよび取外可能ディスクなどの磁気媒体、光磁気媒体、ならびにＣＤ−ＲＯＭディスクおよびデジタル多用途ディスク（ＤＶＤ）などの光媒体を含む。ＷＴＲＵ、ＵＥ、端末、基地局、ＲＮＣ、または任意のホストコンピュータにおいて使用するための無線周波数送受信機を実施するために、ソフトウェアと連携するプロセッサが、使用されてもよい。
【図１Ａ】
2019509689.tif 000003
【図１Ｂ】
2019509689.tif 000004
【図１Ｃ】
2019509689.tif 000005
【図２】
2019509689.tif 000006
【図３】
2019509689.tif 000007
【図４】
2019509689.tif 000008
【図５】
2019509689.tif 000009
【図６】
2019509689.tif 000010
【図７】
2019509689.tif 000011
【図８】
2019509689.tif 000012
【図９】
2019509689.tif 000013
【図１０】
2019509689.tif 000014
【図１１】
2019509689.tif 000015
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
第１の局（ＳＴＡ）であって、
第２のＳＴＡに、トレーニング期間ならびに同時送信および受信トレーニングを示すトレーニング告知フレームを送信し、
トレーニング送信機会（ＴＸＯＰ）の間に前記第２のＳＴＡに、前記トレーニング期間の第１の時間スロットにおいて送信ビームの第１のセットを介してトレーニングフレームの第１のセットを送信し、前記トレーニングフレームの各々は、ヘッダ、ＭＡＣ本文、および１つまたは複数のトレーニングフィールドを含み、
前記トレーニングＴＸＯＰの間に前記第２のＳＴＡに、前記トレーニング期間の第２の時間スロットにおいて送信ビームの第２のセットを介してトレーニングフレームの第２のセットを送信し、
前記トレーニングＴＸＯＰの間に前記第２のＳＴＡから、送信ビームの前記第１のセットおよび前記第２のセットのうちの１つまたは複数の送信ビームと関連付けられたフィードバックを受信し、前記フィードバックは、チャネル状態情報（ＣＳＩ）または１つもしくは複数のビーム識別（ＩＤ）のうちの１つまたは複数を含み、
前記トレーニングＴＸＯＰの間にダウン選択トレーニングを実行し、前記ダウン選択トレーニングは、送信ビームのダウン選択されたセットを介してダウン選択トレーニングフレームのセットを送信することを含み、送信ビームの前記ダウン選択されたセットは、送信ビームの前記第１のセットおよび第２のセットのサブセットであり、ならびに前記受信されたフィードバックに基づいて決定される
ように構成されたプロセッサを備えていることを特徴とする第１のＳＴＡ。
【請求項２】
前記プロセッサは、
前記受信されたフィードバックに応答して、前記第２のＳＴＡに、１つまたは複数の確認応答（ＡＣＫ）フレームを送信し、
前記第２のＳＴＡにダウン選択インジケーションを送信し、前記ダウン選択インジケーションは、ダウン選択を実行する必要性を示す
ようにさらに構成されていることを特徴とする請求項１に記載の第１のＳＴＡ。
【請求項３】
前記ダウン選択インジケーションは、前記１つまたは複数のＡＣＫフレームのうちのＡＣＫフレームに含まれることを特徴とする請求項２に記載の第１のＳＴＡ。
【請求項４】
前記ダウン選択インジケーションは、多入力多出力（ＭＩＭＯ）ビームフォーミング要求インジケーションであることを特徴とする請求項２に記載の第１のＳＴＡ。
【請求項５】
前記プロセッサは、１つまたは複数の他のＳＴＡにトレーニングフレームの前記第１のセットおよび前記第２のセットを送信するようさらに構成されていることを特徴とする請求項１に記載の第１のＳＴＡ。
【請求項６】
送信ビームの前記ダウン選択されたセットは、前記トレーニング期間において使用されたビームの組み合わせまたは前記受信されたフィードバックにおいて示された前記１つもしくは複数のビームＩＤのうちの１つまたは複数に基づいて決定されることを特徴とする請求項１に記載の第１のＳＴＡ。
【請求項７】
トレーニングフレームの前記第１のセットおよびトレーニングフレームの前記第２のセットは各々、１つのそれぞれのトレーニングフレームを含むことを特徴とする請求項１に記載の第１のＳＴＡ。
【請求項８】
前記第１のＳＴＡは、アクセスポイント（ＡＰ）ＳＴＡであることを特徴とする請求項１に記載の第１のＳＴＡ。
【請求項９】
前記フィードバックは、前記トレーニング期間に続くフィードバック期間の間に受信されることを特徴とする請求項１に記載の第１のＳＴＡ。
【請求項１０】
前記１つまたは複数のビームＩＤは、前記第２のＳＴＡによって選択された１つまたは複数の最良のビームと関連付けられていることを特徴とする請求項１に記載の第１のＳＴＡ。
【請求項１１】
前記トレーニングフレームのうちの１つまたは複数は、複数回送信されることを特徴とする請求項１に記載の第１のＳＴＡ。
【請求項１２】
第１の局（ＳＴＡ）によって実行される方法であって、
第２のＳＴＡに、トレーニング期間ならびに同時送信および受信トレーニングを示すトレーニング告知フレームを送信するステップと、
トレーニング送信機会（ＴＸＯＰ）の間に前記第２のＳＴＡに、前記トレーニング期間における第１の時間スロットにおいて送信ビームの第１のセットを介してトレーニングフレームの第１のセットを送信するステップであって、前記トレーニングフレームの各々は、ヘッダ、ＭＡＣ本文、および１つまたは複数のトレーニングフィールドを含む、ステップと、
前記トレーニングＴＸＯＰの間に前記第２のＳＴＡに、前記トレーニング期間における第２の時間スロットにおいて送信ビームの第２のセットを介してトレーニングフレームの第２のセットを送信するステップと、
前記トレーニングＴＸＯＰの間に前記第２のＳＴＡから、送信ビームの前記第１のセットおよび前記第２のセットのうちの１つまたは複数の送信ビームと関連付けられたフィードバックを受信するステップであって、前記フィードバックは、チャネル状態情報（ＣＳＩ）または１つもしくは複数のビーム識別（ＩＤ）のうちの１つまたは複数を含む、ステップと、
前記トレーニングＴＸＯＰの間に前記第２のＳＴＡに、前記フィードバックを含むフィードバックフレームを送信するステップと、
前記トレーニングＴＸＯＰの間にダウン選択トレーニングを実行するステップであって、前記ダウン選択トレーニングは、送信ビームのダウン選択されたセットを介してダウン選択トレーニングフレームのセットを送信することを含み、送信ビームの前記ダウン選択されたセットは、送信ビームの前記第１のセットおよび第２のセットのサブセットであり、ならびに前記受信されたフィードバックに基づいて決定される、ステップと
を備えたことを特徴とする方法。
【請求項１３】
前記受信されたフィードバックに応答して、前記第２のＳＴＡに、１つまたは複数の確認応答（ＡＣＫ）フレームを送信するステップと、
前記第２のＳＴＡにダウン選択インジケーションを送信するステップであって、前記ダウン選択インジケーションは、ダウン選択を実行する必要性を示す、ステップと
をさらに備えたことを特徴とする請求項１２に記載の方法。
【請求項１４】
前記ダウン選択インジケーションは、前記１つまたは複数のＡＣＫフレームのうちのＡＣＫフレームに含まれることを特徴とする請求項１３に記載の方法。
【請求項１５】
前記ダウン選択インジケーションは、多入力多出力（ＭＩＭＯ）ビームフォーミング要求インジケーションであることを特徴とする請求項１３に記載の方法。
【請求項１６】
１つまたは複数の他のＳＴＡにトレーニングフレームの前記第１のセットおよび前記第２のセットを送信するステップをさらに備えたことを特徴とする請求項１２に記載の方法。
【請求項１７】
送信ビームの前記ダウン選択されたセットは、前記トレーニング期間において使用されたビームの組み合わせまたは前記受信されたフィードバックにおいて示された前記１つもしくは複数のビームＩＤのうちの１つまたは複数に基づいて決定されることを特徴とする請求項１２に記載の方法。
【請求項１８】
トレーニングフレームの前記第１のセットおよびトレーニングフレームの前記第２のセットは各々、１つのそれぞれのトレーニングフレームを含むことを特徴とする請求項１２に記載の方法。
【請求項１９】
前記第１のＳＴＡは、アクセスポイント（ＡＰ）ＳＴＡであることを特徴とする請求項１２に記載の方法。
【請求項２０】
前記フィードバックは、前記トレーニング期間に続くフィードバック期間の間に受信されることを特徴とする請求項１２に記載の方法。
【請求項２１】
前記１つまたは複数のビームＩＤは、前記第２のＳＴＡによって選択された１つまたは複数の最良のビームと関連付けられていることを特徴とする請求項１２に記載の方法。
【請求項２２】
前記トレーニングフレームのうちの１つまたは複数は、複数回送信されることを特徴とする請求項１２に記載の方法。
【国際調査報告】
2019509689.tif 000016
2019509689.tif 000017
2019509689.tif 000018